(57)【要約】【課題】表示品位の良好な表示装置を提供する。【解決手段】法線方向が異なる複数の表示領域を有する表示装置において、それぞれの表示領域に応じて、画素を構成する複数の副画素の、配列方向を異ならせる。【選択図】図１
2020106863.tif 000002
【特許請求の範囲】
【請求項１】
第１の副画素と、第２の副画素と、第３の副画素と、を有し、
前記第１の副画素は、第１の画素電極と、前記第１の画素電極と電気的に接続された第１のトランジスタと、を有し、
前記第２の副画素は、第２の画素電極と、前記第２の画素電極と電気的に接続された第２のトランジスタと、を有し、
前記第３の副画素は、第３の画素電極と、前記第３の画素電極と電気的に接続された第３のトランジスタと、を有し、
前記第１のトランジスタのチャネル形成領域を有する酸化物半導体層は、前記第１の画素電極と重なる領域を有さず、前記第２の画素電極と重なる領域を有さず、前記第３の画素電極と重なる領域を有する、表示装置。
【請求項２】
請求項１において、
平面視において、前記第１の画素電極は第１の方向に延びた形状を有し、
平面視において、前記第２の画素電極は前記第１の方向に延びた形状を有し、
平面視において、前記第３の画素電極は前記第１の方向に延びた形状を有し、
平面視において、前記第１のトランジスタ及び前記第３のトランジスタは、前記第１の方向に沿って並んでいる、表示装置。
【発明の詳細な説明】
【技術分野】
【０００１】
本発明の一態様は、物、方法、または、製造方法に関する。または、本発明の一態様は、
プロセス、マシン、マニュファクチャ、または、組成物（コンポジション・オブ・マター
）に関する。特に、本発明の一態様は、発光装置、表示装置、電子機器、照明装置、また
はそれらの作製方法、使用方法、操作方法などに関する。特に、エレクトロルミネッセン
ス（Ｅｌｅｃｔｒｏｌｕｍｉｎｅｓｃｅｎｃｅ、以下ＥＬとも記す）現象を利用した発光
装置、表示装置、電子機器、照明装置、またはそれらの作製方法、使用方法、操作方法な
どに関する。
【０００２】
なお、本明細書中において半導体装置とは、半導体特性を利用することで機能しうる装置
全般を指す。トランジスタ、半導体回路は半導体装置と言える。記憶装置、撮像装置、表
示装置、発光装置、電気光学装置および電子機器などは、半導体装置を有している場合が
ある。
【背景技術】
【０００３】
近年、発光装置や表示装置は様々な用途への応用が期待されており、多様化が求められて
いる。
【０００４】
例えば、携帯機器用途等の発光装置や表示装置では、薄型であること、軽量であること、
湾曲面への適用が可能であること、または破損しにくいこと等が求められている。
【０００５】
また、ＥＬ現象を利用した発光素子（ＥＬ素子とも記す）は、薄型軽量化が容易、入力信
号に対し高速に応答可能、直流低電圧電源を用いて駆動可能などの特徴を有し、発光装置
や表示装置への応用が検討されている。
【０００６】
例えば、特許文献１に、フィルム基板上に、スイッチング素子であるトランジスタや有機
ＥＬ素子を備えたフレキシブルなアクティブマトリクス型の表示装置が開示されている。
【先行技術文献】
【特許文献】
【０００７】
【特許文献１】特開２００３−１７４１５３号公報
【発明の概要】
【発明が解決しようとする課題】
【０００８】
図１９（Ａ）に示す表示装置９００は、表示領域１３１が観察者と正対する領域１６０と
、表示領域１３１が観察者と正対しない領域１７０を有する。図１９（Ｂ）および図１９
（Ｃ）は、図１９（Ａ）中に一点鎖線で示した部位Ｑ１−Ｑ２の断面図である。図１９（
Ｂ）は、領域１７０が屈曲している状態を示しており、図１９（Ｃ）は、領域１７０が湾
曲している状態を示している。図１９（Ｂ）および図１９（Ｃ）に、部位Ｑ１−Ｑ２にお
ける領域１６０の中心付近の法線の方向を法線１６８として示し、領域１７０の中心付近
の法線の方向を法線１７８として示す。図１９（Ｂ）、図１９（Ｃ）のどちらの場合にお
いても、領域１６０の中心付近の法線の方向と、領域１７０の中心付近の法線の方向が異
なっている。
【０００９】
また、表示装置９００は、基板１１１および基板１２１を有し、基板１１１および基板１
２１の間に、発光素子および着色層を有する（図示せず。）。図１９（Ｄ）は、領域１６
０中の表示領域１３１の一部である部位１６１を拡大した図である。また、図１９（Ｅ）
は、領域１７０中の表示領域１３１の一部である部位１７１を拡大した図である。
【００１０】
表示領域１３１は、マトリクス状に配置された複数の画素を有する。１つの画素は、少な
くとも３つの副画素を有する。３つの副画素はストライプ状に配列され、それぞれ、赤色
光、緑色光、青色光を発する。図１９（Ｄ）では、領域１６０中の画素を、画素１６５と
して示し、赤色光を発する副画素を副画素１６５Ｒ、緑色光を発する副画素を副画素１６
５Ｇ、青色光を発する副画素を副画素１６５Ｂとして示している。図１９（Ｅ）では、領
域１７０中の画素を、画素１７５として示し、赤色光を発する副画素を副画素１７５Ｒ、
緑色光を発する副画素を副画素１７５Ｇ、青色光を発する副画素を副画素１７５Ｂとして
示している。
【００１１】
次に、観察者９１０が領域１６０に表示された映像を視認する時の状態について説明する
。図２０（Ａ）は、観察者９１０と、画素１６５から発せられる光２３５の関係について
説明する図である。また、図２０（Ａ）は、画素１６５の断面概略図である。
【００１２】
副画素１６５Ｒは、発光素子１２５と着色層２６６Ｒを有する。副画素１６５Ｇは、発光
素子１２５と着色層２６６Ｇを有する。副画素１６５Ｂは、発光素子１２５と着色層２６
６Ｂを有する。発光素子１２５から発せられた光２３５は、着色層を透過する際に着色さ
れる。
【００１３】
例えば、副画素１６５Ｇにおいて、副画素１６５Ｇが有する発光素子１２５から発せられ
た白色の光２３５は、着色層２６６Ｇにより緑色の光２３５へ変換されて観察者９１０に
到達する。なお、発光素子１２５から発せられた白色の光２３５の一部が、他の副画素の
着色層に入射して、意図しない色に変換される場合がある。しかしながら、領域１６０で
は観察者９１０と表示領域１３１が正対するため、意図しない色に変換された光２３５は
観察者９１０に認識されにくい。
【００１４】
次に、観察者９１０が領域１７０に表示された映像を視認する時の状態について説明する
。図２０（Ｂ）は、観察者９１０と、画素１７５から発せられる光２３５の関係について
説明する図である。また、図２０（Ｂ）は、画素１７５の断面概略図である。
【００１５】
副画素１７５Ｒは、発光素子１２５と着色層２６６Ｒを有する。副画素１７５Ｇは、発光
素子１２５と着色層２６６Ｇを有する。副画素１７５Ｂは、発光素子１２５と着色層２６
６Ｂを有する。発光素子１２５から発せられた光２３５は、着色層を透過する際に着色さ
れる。
【００１６】
領域１７０では、観察者９１０と表示領域１３１が正対しない。よって、観察者９１０は
、発光素子１２５から発せられた光２３５のうち、他の副画素の着色層に入射して意図し
ない色に変換された一部の光２３５を観察してしまう。
【００１７】
このように、表示領域が観察者と正対する領域と、正対しない領域を有する表示装置では
、表示領域内の表示品位のばらつきが大きくなりやすく、表示品位が低下しやすい。
【００１８】
本発明の一態様は、視認性に優れた表示装置、もしくは電子機器を提供することを目的の
一とする。
【００１９】
または、本発明の一態様は、表示品位が良好な表示装置、もしくは電子機器を提供するこ
とを目的の一とする。
【００２０】
または、本発明の一態様は、信頼性が高い表示装置、もしくは電子機器を提供することを
目的の一とする。
【００２１】
または、本発明の一態様は、破損しにくい表示装置、もしくは電子機器を提供することを
目的の一とする。
【００２２】
または、発明の一態様は、消費電力が低い表示装置、もしくは電子機器を提供することを
目的の一とする。
【００２３】
または、本発明の一態様は、新規な表示装置、もしくは電子機器を提供することを目的の
一とする。
【００２４】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【００２５】
本発明の一態様は、第１の領域と、第２の領域と、を含む表示領域を有し、表示領域は複
数の画素を有し、画素は複数の副画素を有し、第１の領域における副画素の配列方向と、
第２の領域における副画素の配列方向が異なることを特徴とする表示装置である。
【００２６】
または、本発明の一態様は、それぞれが画素を有する第１の表示領域と、第２の表示領域
と、を有し、記第１の表示領域の表面は、第２の表示領域の表面に対して傾斜を有し、画
素は複数の副画素を有し、第１の表示領域における副画素の配列方向と、第２の表示領域
における副画素の配列方向が異なることを特徴とする表示装置である。
【００２７】
または、本発明の一態様は、第１の領域と、第２の領域と、を含む表示領域を有し、第１
の領域の中心付近における法線の方向と、第２の領域の中心付近における法線の方向が異
なり、表示領域は複数の画素を有し、画素は複数の副画素を有し、第１の領域における副
画素の配列方向と、第２の領域における副画素の配列方向が異なることを特徴とする表示
装置である。
【００２８】
または、本発明の一態様は、それぞれが画素を有する第１の表示領域と、第２の表示領域
と、を有し、画素は、第１の副画素及び第２の副画素とを有し、第１の表示領域において
、第１の副画素と第２の副画素は第１の方向に配列し、第２の表示領域において、第１の
副画素と第２の副画素は第２の方向に配列し、第１の方向は、第２の方向と異なることを
特徴とする表示装置である。
【発明の効果】
【００２９】
本発明の一態様によれば、視認性に優れた表示装置、もしくは電子機器を提供することが
できる。
【００３０】
または、本発明の一態様によれば、表示品位が良好な表示装置、もしくは電子機器を提供
することができる。
【００３１】
または、本発明の一態様によれば、信頼性が高い表示装置、もしくは電子機器を提供する
ことができる。
【００３２】
または、本発明の一態様によれば、破損しにくい表示装置、もしくは電子機器を提供する
ことができる。
【００３３】
または、本発明の一態様によれば、消費電力が低い表示装置、もしくは電子機器を提供す
ることができる。
【００３４】
または、本発明の一態様によれば、新規な表示装置、もしくは電子機器を提供することが
できる。なお、これらの効果の記載は、他の効果の存在を妨げるものではない。なお、本
発明の一態様は、必ずしも、これらの効果の全てを有する必要はない。なお、これら以外
の効果は、明細書、図面、請求項などの記載から、自ずと明らかとなるものであり、明細
書、図面、請求項などの記載から、これら以外の効果を抽出することが可能である。
【図面の簡単な説明】
【００３５】
【図１】表示装置の一形態を説明する図。
【図２】表示装置の一形態を説明する図。
【図３】表示装置の一形態を説明する図。
【図４】表示装置の一形態を説明するブロック図及び回路図。
【図５】画素の構成例を説明する図。
【図６】画素の構成例を説明する断面図。
【図７】画素の構成例を説明する断面図。
【図８】画素の構成例を説明する断面図。
【図９】表示装置の作製方法例を説明する断面図。
【図１０】表示装置の作製方法例を説明する断面図。
【図１１】表示装置の作製方法例を説明する断面図。
【図１２】表示装置の作製方法例を説明する断面図。
【図１３】表示装置の作製方法例を説明する断面図。
【図１４】表示装置の作製方法例を説明する断面図。
【図１５】表示装置の作製方法例を説明する断面図。
【図１６】表示装置の一形態を説明する図。
【図１７】発光素子の構成例を説明する図。
【図１８】画素の平面形状および配列の一例を説明する図。
【図１９】課題を説明する図。
【図２０】課題を説明する図。
【図２１】表示装置の一形態を説明する図。
【図２２】表示装置の一形態を説明する図。
【図２３】電子機器の一例を説明する図。
【図２４】表示装置の一形態を説明する図。
【図２５】表示装置の一形態を説明する図。
【発明を実施するための形態】
【００３６】
実施の形態について、図面を用いて詳細に説明する。但し、本発明は以下の説明に限定さ
れず、本発明の趣旨およびその範囲から逸脱することなくその形態および詳細を様々に変
更し得ることは当業者であれば容易に理解される。従って、本発明は以下に示す実施の形
態の記載内容に限定して解釈されるものではない。なお、以下に説明する発明の構成にお
いて、同一部分又は同様な機能を有する部分には同一の符号を異なる図面間で共通して用
い、その繰り返しの説明は省略する。
【００３７】
なお、本明細書で説明する各図において、各構成の大きさ、層の厚さ、または領域は、発
明を明瞭化するために誇張または省略されている場合がある。よって、必ずしもそのスケ
ールに限定されない。特に上面図や斜視図において、図面をわかりやすくするため一部の
構成要素の記載を省略する場合がある。
【００３８】
また、図面等において示す各構成の、位置、大きさ、範囲などは、発明の理解を容易とす
るため、実際の位置、大きさ、範囲などを表していない場合がある。このため、開示する
発明は、必ずしも、図面等に開示された位置、大きさ、範囲などに限定されない。例えば
、実際の製造工程において、エッチングなどの処理によりレジストマスクなどが意図せず
に目減りすることがあるが、理解を容易とするために省略して示すことがある。
【００３９】
なお、本明細書等における「第１」、「第２」等の序数詞は、構成要素の混同を避けるた
めに付すものであり、工程順または積層順など、なんらかの順番や順位を示すものではな
い。また、本明細書等において序数詞が付されていない用語であっても、構成要素の混同
を避けるため、特許請求の範囲において序数詞を付す場合がある。
【００４０】
また、本明細書等において「電極」や「配線」の用語は、これらの構成要素を機能的に限
定するものではない。例えば、「電極」は「配線」の一部として用いられることがあり、
その逆もまた同様である。さらに、「電極」や「配線」の用語は、複数の「電極」や「配
線」が一体となって形成されている場合なども含む。
【００４１】
なお、本明細書等において「上」や「下」の用語は、構成要素の位置関係が直上または直
下で、かつ、直接接していることを限定するものではない。例えば、「絶縁層Ａ上の電極
Ｂ」の表現であれば、絶縁層Ａの上に電極Ｂが直接接して形成されている必要はなく、絶
縁層Ａと電極Ｂとの間に他の構成要素を含むものを除外しない。
【００４２】
また、ソースおよびドレインの機能は、異なる極性のトランジスタを採用する場合や、回
路動作において電流の方向が変化する場合など、動作条件などによって互いに入れ替わる
ため、いずれがソースまたはドレインであるかを限定することが困難である。このため、
本明細書においては、ソースおよびドレインの用語は、入れ替えて用いることができるも
のとする。
【００４３】
また、本明細書等において、「電気的に接続」には、「何らかの電気的作用を有するもの
」を介して接続されている場合が含まれる。ここで、「何らかの電気的作用を有するもの
」は、接続対象間での電気信号の授受を可能とするものであれば、特に制限を受けない。
よって、「電気的に接続する」と表現される場合であっても、現実の回路においては、物
理的な接続部分がなく、配線が延在しているだけの場合もある。
【００４４】
また、本明細書において、「平行」とは、二つの直線が−１０°以上１０°以下の角度で
配置されている状態をいう。従って、−５°以上５°以下の場合も含まれる。また、「垂
直」および「直交」とは、二つの直線が８０°以上１００°以下の角度で配置されている
状態をいう。従って、８５°以上９５°以下の場合も含まれる。
【００４５】
また、本明細書において、フォトリソグラフィ工程を行った後にエッチング工程を行う場
合は、特段の説明がない限り、フォトリソグラフィ工程で形成したレジストマスクは、エ
ッチング工程終了後に除去するものとする。
【００４６】
（実施の形態１）
図１（Ａ）に示す表示装置１００は、表示領域１３１が観察者と正対する領域１６０と、
表示領域１３１が観察者と正対しない領域１７０を有する。また、駆動回路１３２ａ、駆
動回路１３２ｂ、および駆動回路１３３を有する。図１（Ｂ）および図１（Ｃ）は、図１
（Ａ）中に一点鎖線で示した部位Ａ１−Ａ２の断面図である。図１（Ｂ）は、領域１７０
が屈曲している状態を示しており、図１（Ｃ）は、領域１７０が湾曲している状態を示し
ている。図１（Ｂ）および図１（Ｃ）に、部位Ａ１−Ａ２における領域１６０の中心付近
の法線の方向を法線１６８として示し、領域１７０の中心付近の法線の方向を法線１７８
として示す。図１（Ｂ）、図１（Ｃ）のどちらの場合においても、領域１６０の中心付近
の法線の方向と、領域１７０の中心付近の法線の方向が異なっている。
【００４７】
また、表示装置１００は、基板１１１および基板１２１を有し、基板１１１および基板１
２１の間に、発光素子および着色層を有する（図示せず。）。図１（Ｄ）は、領域１６０
中の表示領域１３１の一部である部位１６１を拡大した図である。また、図１（Ｅ）は、
領域１７０中の表示領域１３１の一部である部位１７１を拡大した図である。また、図１
（Ｆ）は、領域１６０と領域１７０の境界位置である部位１８１を拡大した図である。
【００４８】
表示領域１３１は、マトリクス状に配置された複数の画素を有する。１つの画素は、少な
くとも３つの副画素を有する。これらの副画素はストライプ状に配列され、それぞれ、赤
色光、緑色光、青色光を発する。
【００４９】
図１では、副画素の平面形状が長方形である場合を示している。本明細書等において、こ
れらの副画素の長辺が隣接するように横方向に並べる配列を「Ｈ配列」といい、これらの
副画素の長辺が隣接するように縦方向に並べる配列を「Ｖ配列」という。すなわち、Ｈ配
列の配列方向と、Ｖ配列の配列方向は異なる。なお、本実施の形態では、Ｈ配列の配列方
向１６６とＶ配列の配列方向１７６が直交する場合を示すが、これに限定されない。
【００５０】
図１（Ｄ）では、領域１６０中の画素を、画素１６５として示し、赤色光を発する副画素
を副画素１６５Ｒ、緑色光を発する副画素を副画素１６５Ｇ、青色光を発する副画素を副
画素１６５Ｂとして示している。画素１６５は、３つの副画素の配列がＨ配列となってい
る。
【００５１】
図１（Ｅ）では、領域１７０中の画素を、画素１７５として示し、赤色光を発する副画素
を副画素１７５Ｒ、緑色光を発する副画素を副画素１７５Ｇ、青色光を発する副画素を副
画素１７５Ｂとして示している。画素１７５は、３つの副画素の配列がＶ配列となってい
る。
【００５２】
副画素が発する光の色は、赤、緑、青以外にも、黄、シアン、マゼンダなどとしてもよい
。また、これらの光を組み合わせて用いてもよい。例えば、一つの画素に、４つの副画素
を設け、それぞれ、赤、緑、青、黄の光を発する構成としてもよい。副画素の数を増やす
ことで、特に中間調の再現性を高めることができる。よって、表示装置の表示品位を高め
ることができる。また、図２４（Ａ）、図２４（Ｂ）、図２４（Ｃ）に示すように、一つ
の画素に、４つの副画素を設け、それぞれ、赤、緑、青、白の光を発する構成としてもよ
い。白の光を発する副画素を設けることで、表示領域の輝度を高めることができる。また
、表示装置の用途によっては、一つの画素を２つの副画素で構成してもよい。
【００５３】
図２４（Ａ）では、領域１６０中の画素を、画素１６５として示し、赤色光を発する副画
素を副画素１６５Ｒ、緑色光を発する副画素を副画素１６５Ｇ、青色光を発する副画素を
副画素１６５Ｂ、白色光を発する副画素を副画素１６５Ｗとして示している。画素１６５
は、４つの副画素の配列がＨ配列となっている。
【００５４】
図２４（Ｂ）では、領域１７０中の画素を、画素１７５として示し、赤色光を発する副画
素を副画素１７５Ｒ、緑色光を発する副画素を副画素１７５Ｇ、青色光を発する副画素を
副画素１７５Ｂ、白色光を発する副画素を副画素１７５Ｗとして示している。画素１７５
は、４つの副画素の配列がＶ配列となっている。
【００５５】
なお、各副画素の占有面積や形状などは、それぞれ同じでもよいし、それぞれ異なってい
てもよい。また、配列方法として、ストライプ配列以外の方法でもよい。例えば、デルタ
配列、ベイヤー配列、ペンタイル配列などを適用することもできる。一例として、ペンタ
イル配列を適用した場合の例を、図２５（Ａ）、図２５（Ｂ）、図２５（Ｃ）に示す。
【００５６】
次に、画素１７５が有する副画素の配列をＶ配列とすることで得られる効果について、図
２を用いて説明する。
【００５７】
図２（Ａ）は、観察者９１０と、画素１６５から発せられる光２３５の領域１６０におけ
る関係について説明する図である。また、図２（Ａ）は、画素１６５を配列方向１６６と
直交する方向から見た断面概略図である。
【００５８】
領域１６０では観察者９１０と表示領域１３１が正対するため、画素１６５も観察者９１
０と正対する。よって、副画素が有する発光素子から発せられた光は、該副画素が有する
着色層により変換されて、観察者９１０に到達する。例えば、副画素１６５Ｇにおいて、
副画素１６５Ｇが有する発光素子１２５から発せられた白色の光２３５は、着色層２６６
Ｇにより緑色の光２３５へ変換されて観察者９１０に到達する。なお、発光素子１２５か
ら発せられた白色の光２３５の一部が散乱し、他の副画素の着色層に入射して、意図しな
い色に変換される場合がある。しかしながら、領域１６０では観察者９１０と表示領域１
３１が正対するため、散乱によって意図しない色に変換された光２３５は観察者９１０に
認識されにくい。
【００５９】
図２（Ｂ）は、観察者９１０と、画素１７５から発せられる光２３５の領域１７０におけ
る関係について説明する図である。また、図２（Ｂ）は、画素１７５を配列方向１７６か
ら見た断面概略図である。
【００６０】
領域１７０では、観察者９１０と表示領域１３１が正対しない。よって、観察者９１０は
、発光素子１２５から発せられた光２３５のうち、他の副画素の着色層に入射して変換さ
れた一部の光２３５を観察する。しかしながら、本実施の形態に例示する表示装置１００
は、画素１７５が有する副画素の配列をＶ配列としているため、観察者９１０に到達する
他の副画素の着色層に入射して変換された光２３５も、本来意図した色と実質的に同じ色
に変換される。
【００６１】
画素１７５が有する副画素の配列をＶ配列とすることで、表示装置１００の表示品位のば
らつきを軽減することができる。よって、視認性に優れた表示装置を実現することができ
る。また、表示品位が良好な表示装置を実現することができる。
【００６２】
なお、本実施の形態では、表示装置１００が有する表示領域１３１の右側または左側が、
屈曲または湾曲する場合について説明したが、本発明の一態様はこれに限定されない。例
えば、表示領域１３１の上側または下側が屈曲または湾曲する場合や、表示領域１３１の
角部が屈曲または湾曲する場合であっても、適宜、副画素の配列を設定することで、表示
品位が良好な表示装置を実現することができる。
【００６３】
なお、発光素子１２５が、白色の光２３５を発光する場合の例を示したが、本発明の実施
形態の一態様は、これに限定されない。発光素子１２５が、赤（Ｒ）、青（Ｂ）、緑（Ｇ
）の何れか一つの色で発光してもよい。その場合、発光素子１２５は、各副画素ごとに、
異なる色で発光することが好ましい。
【００６４】
本実施の形態は、他の実施の形態に記載した構成と適宜組み合わせて実施することが可能
である。
【００６５】
（実施の形態２）
本実施の形態では、表示装置１００の構成例について、図３を用いて説明する。図３は、
図１（Ａ）に一点鎖線で示した部位Ｘ１−Ｘ２の断面模式図である。
【００６６】
＜表示装置の構成＞
本明細書に例示する表示装置１００は、第１の電極１１５、ＥＬ層１１７、第２の電極１
１８を含む発光素子１２５と、端子電極２１６を有する。発光素子１２５は、表示領域１
３１中に複数形成されている。また、各発光素子１２５には、発光素子１２５の発光量を
制御するトランジスタ２３２が接続されている。
【００６７】
端子電極２１６は、開口１２２に設けられた異方性導電接続層１２３を介して外部電極１
２４と電気的に接続されている。また、端子電極２１６は、駆動回路１３２ａ、駆動回路
１３２ｂ、および駆動回路１３３に電気的に接続されている。
【００６８】
駆動回路１３２ａ、駆動回路１３２ｂ、および駆動回路１３３は、複数のトランジスタ２
５２により構成されている。駆動回路１３２ａ、駆動回路１３２ｂ、および駆動回路１３
３は、外部電極１２４から供給された信号を、表示領域１３１中のどの発光素子１２５に
供給するかを決定する機能を有する。
【００６９】
本明細書に例示する表示装置１００は、接着層１２０を介して基板１１１と基板１２１が
貼り合わされた構造を有する。基板１１１には、接着層１１２を介して絶縁層２０５が形
成されている。絶縁層２０５は、酸化シリコン、窒化シリコン、酸化窒化シリコン、窒化
酸化シリコン、酸化アルミニウム、酸化窒化アルミニウム、または窒化酸化アルミニウム
等を、単層または多層で形成するのが好ましい。絶縁層２０５は、スパッタリング法やＣ
ＶＤ法、熱酸化法、塗布法、印刷法等を用いて形成することが可能である。
【００７０】
また、基板１２１には、接着層１４２を介して絶縁層１４５が形成され、絶縁層１４５を
介して遮光層２６４が形成されている。また、基板１２１には、絶縁層１４５を介して着
色層２６６、オーバーコート層２６８が形成されている。
【００７１】
なお、絶縁層２０５は下地層として機能し、基板１１１や接着層１１２などから、トラン
ジスタや発光素子への水分や不純物元素の拡散を防止、または低減することができる。ま
た、絶縁層１４５は下地層として機能し、基板１２１や接着層１４２などから、トランジ
スタや発光素子への水分や不純物元素の拡散を防止、または低減することができる。絶縁
層１４５は、絶縁層２０５と同様の材料および方法により形成することができる。
【００７２】
基板１１１および基板１２１としては、有機樹脂材料や可撓性を有する程度の厚さのガラ
ス材料などを用いることができる。表示装置１００を所謂ボトムエミッション構造（下面
射出構造）の表示装置、または両面射出型の表示装置とする場合には、基板１１１にＥＬ
層１１７からの発光に対して透光性を有する材料を用いる。また、表示装置１００を上面
射出型の表示装置、または両面射出型の表示装置とする場合には、基板１２１にＥＬ層１
１７からの発光に対して透光性を有する材料を用いる。
【００７３】
基板１２１および基板１１１に用いることができる、可撓性および可視光に対する透光性
を有する材料としては、ポリエチレンテレフタレート樹脂、ポリエチレンナフタレート樹
脂、ポリアクリロニトリル樹脂、ポリイミド樹脂、ポリメチルメタクリレート樹脂、ポリ
カーボネート樹脂、ポリエーテルスルフォン樹脂、ポリアミド樹脂、シクロオレフィン樹
脂、ポリスチレン樹脂、ポリアミドイミド樹脂、ポリ塩化ビニル樹脂、などがある。また
、光を透過させる必要がない場合には、非透光性の基板を用いてもよい。例えば、基板１
２１または基板１１１として、ステンレス基板、ステンレススチルホイル基板などを用い
てもよい。
【００７４】
また、基板１２１および基板１１１の熱膨張係数は、好ましくは３０ｐｐｍ／Ｋ以下、さ
らに好ましくは１０ｐｐｍ／Ｋ以下とする。また、基板１２１および基板１１１の表面に
、予め窒化シリコンや酸化窒化シリコン等の窒素と珪素を含む膜や窒化アルミニウム等の
窒素とアルミニウムを含む膜のような透水性の低い保護膜を成膜しておいても良い。なお
、基板１２１および基板１１１として、繊維体に有機樹脂が含浸された構造物（所謂、プ
リプレグとも言う）を用いてもよい。
【００７５】
このような基板を用いることにより、割れにくい表示装置を提供することができる。また
は、軽量な表示装置を提供することができる。または、曲げやすい表示装置を提供するこ
とができる。
【００７６】
また、絶縁層２０５上に、トランジスタ２３２、トランジスタ２５２、端子電極２１６、
配線２１９が形成されている。なお、本実施の形態では、トランジスタ２３２およびトラ
ンジスタ２５２として、ボトムゲート型のトランジスタの１つであるチャネルエッチ型の
トランジスタを例示しているが、チャネル保護型のトランジスタやトップゲート型のトラ
ンジスタなどを用いることも可能である。また、チャネルが形成される半導体層を２つの
ゲート電極で挟む構造の、デュアルゲート型のトランジスタを用いることも可能である。
【００７７】
トランジスタ２３２とトランジスタ２５２は、同様の構造を有していてもよい。ただし、
トランジスタのサイズ（例えば、チャネル長、およびチャネル幅）等は、各トランジスタ
で適宜調整することができる。
【００７８】
トランジスタ２３２およびトランジスタ２５２は、ゲート電極２０６、ゲート絶縁層２０
７、半導体層２０８、ソース電極２０９ａ、ドレイン電極２０９ｂを有する。
【００７９】
端子電極２１６、配線２１９、ゲート電極２０６、ソース電極２０９ａ、およびドレイン
電極２０９ｂは、端子電極２１６と同様の材料および方法により形成することができる。
また、ゲート絶縁層２０７は、絶縁層２０５と同様の材料および方法により形成すること
ができる。
【００８０】
半導体層２０８は、非晶質半導体、微結晶半導体、多結晶半導体等を用いて形成すること
ができる。例えば、非晶質シリコンや、微結晶ゲルマニウム等を用いることができる。ま
た、炭化シリコン、ガリウム砒素、酸化物半導体、窒化物半導体などの化合物半導体や、
有機半導体等を用いることができる。
【００８１】
なお、酸化物半導体は、エネルギーギャップが２．８ｅＶ以上と大きく、可視光に対する
透過率が大きい。また、酸化物半導体を適切な条件で加工して得られたトランジスタにお
いては、オフ電流を使用時の温度条件下（例えば、２５℃）において、１００ｚＡ（１×
１０−１９Ａ）以下、もしくは１０ｚＡ（１×１０−２０Ａ）以下、さらには１ｚＡ（１
×１０−２１Ａ）以下とすることができる。このため、消費電力の少ない表示装置を提供
することができる。
【００８２】
また、半導体層２０８に酸化物半導体を用いる場合は、半導体層２０８に接する絶縁層に
酸素を含む絶縁層を用いることが好ましい。
【００８３】
また、トランジスタ２３２およびトランジスタ２５２上に絶縁層２１０が形成され、絶縁
層２１０上に絶縁層２１１が形成されている。絶縁層２１０は、保護絶縁層として機能し
、絶縁層２１０よりも上の層からトランジスタ２３２およびトランジスタ２５２への不純
物元素が拡散することを防止または低減することができる。絶縁層２１０は、絶縁層２０
５と同様の材料および方法で形成することができる。
【００８４】
また、発光素子１２５の被形成面の表面凹凸を低減するために絶縁層２１１に平坦化処理
を行ってもよい。平坦化処理としては、特に限定されないが、研磨処理（例えば、化学的
機械研磨法（Ｃｈｅｍｉｃａｌ  Ｍｅｃｈａｎｉｃａｌ  Ｐｏｌｉｓｈｉｎｇ：ＣＭＰ）
）、やドライエッチング処理により行うことができる。
【００８５】
また、平坦化機能を有する絶縁材料を用いて絶縁層２１１を形成することで、研磨処理を
省略することもできる。平坦化機能を有する絶縁材料として、例えば、ポリイミド樹脂、
アクリル樹脂等の有機材料を用いることができる。また上記有機材料の他に、低誘電率材
料（ｌｏｗ−ｋ材料）等を用いることができる。なお、これらの材料で形成される絶縁層
を複数積層させることで、絶縁層２１１を形成してもよい。
【００８６】
また、絶縁層２１１上に、発光素子１２５と、各発光素子１２５を離間するための隔壁１
１４が形成されている。
【００８７】
表示装置１００は、発光素子１２５から発せられた光２３５を、着色層２６６を介して基
板１２１側から射出する、所謂トップエミッション構造（上面射出構造）の表示装置であ
る。
【００８８】
また、発光素子１２５は、絶縁層２１１、および絶縁層２１０に設けられた開口で、トラ
ンジスタ２３２と電気的に接続されている。
【００８９】
なお、基板１２１は基板１１１と向かい合うように形成されるため、基板１２１を「対向
基板」と呼ぶ場合がある。
【００９０】
なお、図２１（Ａ）に示すように、基板１２１の上に、タッチセンサを設けてもよい。こ
のように、基板１２１に設けることにより、折り曲げた時の位置ずれを低減することが出
来る。タッチセンサは、導電層９９１と導電層９９３などを用いて構成されている。また
、それらの間には、絶縁層９９２が設けられている。
【００９１】
なお、導電層９９１、及び／又は、導電層９９３は、インジウム錫酸化物やインジウム亜
鉛酸化物などの透明導電膜を用いることが望ましい。ただし、抵抗を下げるため、導電層
９９１、及び／又は、導電層９９３の一部、または、全部に、低抵抗な材料を持つ層を用
いてもよい。例えば、アルミニウム、チタン、クロム、ニッケル、銅、イットリウム、ジ
ルコニウム、モリブデン、銀、タンタル、またはタングステンからなる単体金属、または
これを主成分とする合金を単層構造または積層構造として用いることができる。または、
導電層９９１、及び／又は、導電層９９３として、金属ナノワイヤを用いてもよい。その
場合の金属としては、銀などが好適である。これにより、抵抗値を下げることが出来るた
め、センサの感度を向上させることが出来る。
【００９２】
絶縁層９９２は、酸化シリコン、窒化シリコン、酸化窒化シリコン、窒化酸化シリコン、
酸化アルミニウム、酸化窒化アルミニウム、または窒化酸化アルミニウム等を、単層また
は多層で形成するのが好ましい。絶縁層９９２は、スパッタリング法やＣＶＤ法、熱酸化
法、塗布法、印刷法等を用いて形成することが可能である。
【００９３】
なお、タッチセンサは、基板１２１ではなく、別の基板を用いて構成してもよい。図２１
（Ｂ）には、基板９９４を用いて構成した場合の例を示す。なお、タッチセンサは、基板
９９４の上に設けられているが、本発明の実施形態の一態様は、これに限定されない。基
板９９４の下（基板１２１と基板９９４との間）に設けられていてもよい。その場合、基
板９９４は、強化ガラスを用いて、表示装置を傷などから守るような構成にしてもよい。
【００９４】
本実施の形態は、他の実施の形態に記載した構成と適宜組み合わせて実施することが可能
である。
【００９５】
（実施の形態３）
本実施の形態では、表示装置１００のより具体的な構成例について、図４を用いて説明す
る。図４（Ａ）は、表示装置１００の構成を説明するためのブロック図である。表示装置
１００は、表示領域１３１、駆動回路１３２ａ、駆動回路１３２ｂ、および駆動回路１３
３を有する。駆動回路１３２ａ、駆動回路１３２ｂは、例えば走査線駆動回路として機能
する。また、駆動回路１３３は、例えば信号線駆動回路として機能する。なお、駆動回路
１３２ａ、および駆動回路１３２ｂは、どちらか一方のみとしてもよい。
【００９６】
また、表示装置１００は、各々が略平行に配設され、且つ、駆動回路１３２ａ、および／
または駆動回路１３２ｂによって電位が制御されるｍ本の配線１３５と、各々が略平行に
配設され、且つ、駆動回路１３３によって電位が制御されるｎ本の配線１３６と、を有す
る。さらに、表示領域１３１はマトリクス状に配設された複数の画素回路１３４を有する
。なお、一つの画素回路１３４により、一つの副画素が駆動される。また、駆動回路１３
２ａ、駆動回路１３２ｂ、および駆動回路１３３をまとめて駆動回路部という場合がある
。
【００９７】
各配線１３５は、表示領域１３１においてｍ行ｎ列に配設された画素回路１３４のうち、
いずれかの行に配設されたｎ個の画素回路１３４と電気的に接続される。また、各配線１
３６は、ｍ行ｎ列に配設された画素回路１３４のうち、いずれかの列に配設されたｍ個の
画素回路１３４に電気的に接続される。ｍ、ｎは、ともに１以上の整数である。
【００９８】
図４（Ｂ）および図４（Ｃ）は、図４（Ａ）に示す表示装置の画素回路１３４に用いるこ
とができる回路構成例を示している。
【００９９】
〔発光表示装置用画素回路の一例〕
また、図４（Ｂ）に示す画素回路１３４は、トランジスタ４３１と、容量素子２３３と、
トランジスタ２３２と、トランジスタ４３４と、発光素子１２５と、を有する。
【０１００】
トランジスタ４３１のソース電極およびドレイン電極の一方は、データ信号が与えられる
配線（以下、信号線ＤＬ＿ｎという）に電気的に接続される。さらに、トランジスタ４３
１のゲート電極は、ゲート信号が与えられる配線（以下、走査線ＧＬ＿ｍという）に電気
的に接続される。
【０１０１】
トランジスタ４３１は、オン状態またはオフ状態になることにより、データ信号のノード
４３５への書き込みを制御する機能を有する。
【０１０２】
容量素子２３３の一対の電極の一方は、ノード４３５に電気的に接続され、他方は、ノー
ド４３７に電気的に接続される。また、トランジスタ４３１のソース電極およびドレイン
電極の他方は、ノード４３５に電気的に接続される。
【０１０３】
容量素子２３３は、ノード４３５に書き込まれたデータを保持する保持容量としての機能
を有する。
【０１０４】
トランジスタ２３２のソース電極およびドレイン電極の一方は、電位供給線ＶＬ＿ａに電
気的に接続され、他方はノード４３７に電気的に接続される。さらに、トランジスタ２３
２のゲート電極は、ノード４３５に電気的に接続される。
【０１０５】
トランジスタ４３４のソース電極およびドレイン電極の一方は、電位供給線Ｖ０に電気的
に接続され、他方はノード４３７に電気的に接続される。さらに、トランジスタ４３４の
ゲート電極は、走査線ＧＬ＿ｍに電気的に接続される。
【０１０６】
発光素子１２５のアノードおよびカソードの一方は、電位供給線ＶＬ＿ｂに電気的に接続
され、他方は、ノード４３７に電気的に接続される。
【０１０７】
発光素子１２５としては、例えば有機エレクトロルミネセンス素子（有機ＥＬ素子ともい
う）などを用いることができる。ただし、発光素子１２５としては、これに限定されず、
無機材料からなる無機ＥＬ素子を用いても良い。
【０１０８】
なお、電位供給線ＶＬ＿ａおよび電位供給線ＶＬ＿ｂの一方には、高電源電位ＶＤＤが与
えられ、他方には、低電源電位ＶＳＳが与えられる。
【０１０９】
図４（Ｂ）の画素回路１３４を有する表示装置では、駆動回路１３２ａ、または駆動回路
１３２ｂにより各行の画素回路１３４を順次選択し、トランジスタ４３１、およびトラン
ジスタ４３４をオン状態にしてデータ信号をノード４３５に書き込む。
【０１１０】
ノード４３５にデータが書き込まれた画素回路１３４は、トランジスタ４３１、およびト
ランジスタ４３４がオフ状態になることで保持状態になる。さらに、ノード４３５に書き
込まれたデータの電位に応じてトランジスタ２３２のソース電極とドレイン電極の間に流
れる電流量が制御され、発光素子１２５は、流れる電流量に応じた輝度で発光する。これ
を行毎に順次行うことにより、画像を表示できる。
【０１１１】
〔液晶表示装置用画素回路の一例〕
図４（Ｃ）に示す画素回路１３４は、液晶素子４３２と、トランジスタ４３１と、容量素
子２３３と、を有する。
【０１１２】
液晶素子４３２の一対の電極の一方の電位は、画素回路１３４の仕様に応じて適宜設定さ
れる。液晶素子４３２は、ノード４３６に書き込まれるデータにより配向状態が設定され
る。なお、複数の画素回路１３４のそれぞれが有する液晶素子４３２の一対の電極の一方
に、共通の電位（コモン電位）を与えてもよい。また、各行の画素回路１３４毎の液晶素
子４３２の一対の電極の一方に異なる電位を与えてもよい。
【０１１３】
例えば、液晶素子４３２を備える表示装置の駆動方法としては、ＴＮモード、ＳＴＮモー
ド、ＶＡモード、ＡＳＭ（Ａｘｉａｌｌｙ  Ｓｙｍｍｅｔｒｉｃ  Ａｌｉｇｎｅｄ  Ｍｉ
ｃｒｏ−ｃｅｌｌ）モード、ＯＣＢ（Ｏｐｔｉｃａｌｌｙ  Ｃｏｍｐｅｎｓａｔｅｄ  Ｂ
ｉｒｅｆｒｉｎｇｅｎｃｅ）モード、ＦＬＣ（Ｆｅｒｒｏｅｌｅｃｔｒｉｃ  Ｌｉｑｕｉ
ｄ  Ｃｒｙｓｔａｌ）モード、ＡＦＬＣ（ＡｎｔｉＦｅｒｒｏｅｌｅｃｔｒｉｃ  Ｌｉｑ
ｕｉｄ  Ｃｒｙｓｔａｌ）モード、ＭＶＡモード、ＰＶＡ（Ｐａｔｔｅｒｎｅｄ  Ｖｅｒ
ｔｉｃａｌ  Ａｌｉｇｎｍｅｎｔ）モード、ＩＰＳモード、ＦＦＳモード、またはＴＢＡ
（Ｔｒａｎｓｖｅｒｓｅ  Ｂｅｎｄ  Ａｌｉｇｎｍｅｎｔ）モードなどを用いてもよい。
また、表示装置の駆動方法としては、上述した駆動方法の他、ＥＣＢ（Ｅｌｅｃｔｒｉｃ
ａｌｌｙ  Ｃｏｎｔｒｏｌｌｅｄ  Ｂｉｒｅｆｒｉｎｇｅｎｃｅ）モード、ＰＤＬＣ（Ｐ
ｏｌｙｍｅｒ  Ｄｉｓｐｅｒｓｅｄ  Ｌｉｑｕｉｄ  Ｃｒｙｓｔａｌ）モード、ＰＮＬＣ
（Ｐｏｌｙｍｅｒ  Ｎｅｔｗｏｒｋ  Ｌｉｑｕｉｄ  Ｃｒｙｓｔａｌ）モード、ゲストホ
ストモードなどがある。ただし、これに限定されず、液晶素子およびその駆動方式として
様々なものを用いることができる。
【０１１４】
また、ブルー相（Ｂｌｕｅ  Ｐｈａｓｅ）を示す液晶とカイラル剤とを含む液晶組成物に
より液晶素子４３２を構成してもよい。ブルー相を示す液晶は、応答速度が１ｍｓｅｃ以
下と短く、光学的等方性であるため配向処理が不要である。また、光学的等方性であるた
め視野角依存性が小さい。
【０１１５】
なお、表示素子として、発光素子１２５および液晶素子４３２以外の表示素子を適用する
ことも可能である。例えば、表示素子として、電気泳動素子、電子インク、エレクトロウ
ェッティング素子、ＭＥＭＳ（マイクロ・エレクトロ・メカニカル・システム）、デジタ
ルマイクロミラーデバイス（ＤＭＤ）、ＤＭＳ（デジタル・マイクロ・シャッター）、Ｉ
ＭＯＤ（インターフェアレンス・モジュレーション）素子などを用いることも可能である
。
【０１１６】
ｍ行ｎ列目の画素回路１３４において、トランジスタ４３１のソース電極およびドレイン
電極の一方は、信号線ＤＬ＿ｎに電気的に接続され、他方はノード４３６に電気的に接続
される。トランジスタ４３１のゲート電極は、走査線ＧＬ＿ｍに電気的に接続される。ト
ランジスタ４３１は、オン状態またはオフ状態になることにより、ノード４３６へのデー
タ信号の書き込みを制御する機能を有する。
【０１１７】
容量素子２３３の一対の電極の一方は、特定の電位が供給される配線（以下、容量線ＣＬ
）に電気的に接続され、他方は、ノード４３６に電気的に接続される。また、液晶素子４
３２の一対の電極の他方はノード４３６に電気的に接続される。なお、容量線ＣＬの電位
の値は、画素回路１３４の仕様に応じて適宜設定される。容量素子２３３は、ノード４３
６に書き込まれたデータを保持する保持容量としての機能を有する。
【０１１８】
例えば、図４（Ｃ）の画素回路１３４を有する表示装置では、駆動回路１３２ａにより各
行の画素回路１３４を順次選択し、トランジスタ４３１をオン状態にしてノード４３６に
データ信号を書き込む。
【０１１９】
ノード４３６にデータ信号が書き込まれた画素回路１３４は、トランジスタ４３１がオフ
状態になることで保持状態になる。これを行毎に順次行うことにより、画像を表示できる
。
【０１２０】
本実施の形態は、他の実施の形態に記載した構成と適宜組み合わせて実施することが可能
である。
【０１２１】
（実施の形態４）
本実施の形態では、表示装置１００が有する画素１６５および画素１７５に適用可能な画
素回路１３４のより具体的な構成例について、図５乃至図８を用いて説明する。
【０１２２】
〔画素１６５の構成例〕
まず、画素１６５の構成例について説明する。図５（Ａ）および図５（Ｂ）は、画素１６
５を拡大した平面図である。図をわかりやすくするため、図５（Ａ）では、発光素子１２
５や着色層２６６などの記載を省略している。また、同様の理由により、図５（Ｂ）では
、画素回路１３４などの記載を省略している。図６は、図５（Ａ）および図５（Ｂ）中に
、一点鎖線で示した部位Ｘ３−Ｘ４の断面図である。
【０１２３】
前述したように、１つの画素回路１３４で、１つの副画素を駆動することができる。よっ
て、画素１６５は、少なくとも３つの画素回路１３４で駆動される。図５（Ａ）では、画
素１６５を駆動する３つの画素回路１３４を、それぞれ画素回路１３４Ｒ、画素回路１３
４Ｇ、画素回路１３４Ｂとして示している。画素１６５では、画素回路１３４の長手方向
と、発光素子１２５および着色層２６６の長手方向が略一致する。画素１６５が有する着
色層２６６Ｒは画素回路１３４Ｒと重畳し、着色層２６６Ｇは画素回路１３４Ｇと重畳し
、着色層２６６Ｂは画素回路１３４Ｂと重畳する。また、着色層２６６Ｒは画素回路１３
４Ｒにより駆動され、着色層２６６Ｇは画素回路１３４Ｇにより駆動され、着色層２６６
Ｂは画素回路１３４Ｂにより駆動される。
【０１２４】
図５（Ａ）および図６に示す配線１３５は、走査線ＧＬ＿ｍに相当する。また、配線１３
５の一部はゲート電極２０６に相当し、トランジスタ４３１およびトランジスタ４３４の
ゲート電極として機能する。また、配線１３８の一部は、容量素子２３３の一方の電極と
して機能し、他の一部はトランジスタ２３２のゲート電極として機能する。また、配線１
３７は、電位供給線ＶＬ＿ａに相当する。配線１３５、配線１３８、および配線１３７は
、ゲート電極２０６と同様の材料および方法を用いて形成することができる。
【０１２５】
また、配線１３５、配線１３８、および配線１３７上にゲート絶縁層２０７が形成されて
いる。配線１３８上のゲート絶縁層２０７は、容量素子２３３の誘電体層として機能する
。また、ゲート絶縁層２０７および半導体層２０８上に、配線１３６、配線１３９、配線
１５１、配線１５２、および配線１５６（図５（Ａ）および図６参照。）を有する。配線
１３６は、信号線ＤＬ＿ｎに相当する。また、配線１３６の一部は、トランジスタ４３１
のソース電極およびドレイン電極の一方として機能する。配線１３９は、ゲート絶縁層２
０７に形成された開口１５３を介して配線１３８に電気的に接続する。また、配線１３９
は、トランジスタ４３１のソース電極およびドレイン電極の他方として機能する。配線１
５６は、電位供給線Ｖ０に相当する。また、配線１５６の一部はトランジスタ４３４のソ
ース電極およびドレイン電極の一方として機能する。また、配線１５１の一部はトランジ
スタ４３４のソース電極およびドレイン電極の他方として機能する。
【０１２６】
配線１５１は容量素子２３３の他方の電極として機能する。配線１５２は、ゲート絶縁層
２０７に形成された開口１５４を介して配線１３７に電気的に接続する。また、配線１５
２は、トランジスタ２３２のソース電極およびドレイン電極の一方として機能する。また
、配線１５１は、トランジスタ２３２のソース電極およびドレイン電極の他方として機能
する。配線１３６、配線１３９、配線１５１、配線１５２、および配線１５６は、ソース
電極２０９ａ、およびドレイン電極２０９ｂと同様の材料および方法を用いて形成するこ
とができる。
【０１２７】
配線１３６、配線１３９、配線１５１、配線１５２、および配線１５６上に絶縁層２１０
が形成され、絶縁層２１０上に絶縁層２１１が形成されている。また、絶縁層２１１上に
形成された電極１１８は、絶縁層２１０および絶縁層２１１に形成された開口１５５を介
して配線１５１に電気的に接続される。すなわち、発光素子１２５は、配線１５１と電気
的に接続されている。
【０１２８】
発光素子１２５から発せられた光は、着色層２６６Ｒにより変換れた光２３５Ｒとなる。
なお、他の構成については、他の実施の形態で詳述しているため、ここでの説明は省略す
る。
【０１２９】
〔画素１７５の構成例〕
次に、画素１７５の構成例について説明する。図５（Ｃ）は、画素１７５を拡大した平面
図である。図をわかりやすくするため、図５（Ｃ）では、発光素子１２５や着色層２６６
などの記載を省略している。
【０１３０】
画素１７５は、画素１６５の発光素子１２５と着色層２６６を９０度回転させて、Ｖ配列
とすることで実現できる。この時、画素回路１３４の配列は、Ｈ配列のままでよい。図７
に、図５（Ｃ）中に一点鎖線で示した、部位Ｘ５―Ｘ６の断面図を示す。
【０１３１】
本発明の一態様の表示装置１００は、画素１６５と画素１７５で画素回路１３４の構成を
変更する必要がない。よって、領域１６０と領域１７０で駆動方法を変更する必要もない
。表示領域１３１内で複数の駆動回路や駆動方法を用いると、製造歩留まりの低下や、製
造コストの上昇を招きやすく、表示装置の生産性が低下する一因となる。本発明の一態様
によれば、生産性が良好で、表示品位が良好な表示装置を実現することができる。
【０１３２】
〔画素構成の変形例〕
なお、着色層２６６、遮光層２６４、オーバーコート層２６８などを設けない構成にする
こともできる。その場合、白色光を発する発光素子１２５に換えて、それぞれの副画素に
赤色光を発する発光素子１２５Ｒ、緑色光を発する発光素子１２５Ｇ、青色光を発する発
光素子１２５Ｂなどを用いることによってカラー表示を行うことが出来る。着色層２６６
などを用いない構成の一例を、図８に示す。
【０１３３】
発光素子１２５Ｒ、発光素子１２５Ｇ、発光素子１２５Ｂは、それぞれ、ＥＬ層１１７Ｒ
、ＥＬ層１１７Ｇ、ＥＬ層１１７Ｂを有する。ＥＬ層１１７Ｒ、ＥＬ層１１７Ｇ、ＥＬ層
１１７Ｂは、それぞれ、赤色の光２３５Ｒ、緑色の光２３５Ｇ、青色の光２３５Ｂ、など
の異なる色で発光させることが出来る。このように、着色層２６６などを用いないことに
よって、色純度が向上し、光損失量を減らすことが出来る。
【０１３４】
本実施の形態は、他の実施の形態に記載した構成と適宜組み合わせて実施することが可能
である。
【０１３５】
（実施の形態５）
本実施の形態では、表示装置１００の作製方法の一例について、図９乃至図１５を用いて
説明する。なお、図９乃至図１４は、図１（Ａ）中に一点鎖線で示した部位Ｘ１−Ｘ２の
断面に相当する。
【０１３６】
〔剥離層を形成する〕
まず、素子形成基板１０１上に剥離層１１３を形成する（図９（Ａ）参照。）。なお、素
子形成基板１０１としては、ガラス基板、石英基板、サファイア基板、セラミック基板、
金属基板などを用いることができる。また、本実施の形態の処理温度に耐えうる耐熱性を
有するプラスチック基板を用いてもよい。
【０１３７】
また、ガラス基板には、例えば、アルミノシリケートガラス、アルミノホウケイ酸ガラス
、バリウムホウケイ酸ガラスなどのガラス材料が用いられている。なお、酸化バリウム（
ＢａＯ）を多く含ませることで、より実用的な耐熱ガラスが得られる。他にも、結晶化ガ
ラスなどを用いることができる。
【０１３８】
剥離層１１３は、タングステン、モリブデン、チタン、タンタル、ニオブ、ニッケル、コ
バルト、ジルコニウム、ルテニウム、ロジウム、パラジウム、オスミウム、イリジウム、
シリコンから選択された元素、または元素を含む合金材料、または元素を含む化合物材料
を用いて形成することができる。また、これらの材料を単層又は積層して形成することが
できる。なお、剥離層１１３の結晶構造は、非晶質、微結晶、多結晶のいずれの場合でも
よい。また、剥離層１１３を、酸化アルミニウム、酸化ガリウム、酸化亜鉛、二酸化チタ
ン、酸化インジウム、インジウム錫酸化物、インジウム亜鉛酸化物、またはＩｎＧａＺｎ
Ｏ（ＩＧＺＯ）等の金属酸化物を用いて形成することもできる。
【０１３９】
剥離層１１３は、スパッタリング法やＣＶＤ法、塗布法、印刷法等により形成できる。な
お、塗布法はスピンコーティング法、液滴吐出法、ディスペンス法を含む。
【０１４０】
剥離層１１３を単層で形成する場合、タングステン、モリブデン、またはタングステンと
モリブデンを含む合金材料を用いることが好ましい。または、剥離層１１３を単層で形成
する場合、タングステンの酸化物若しくは酸化窒化物、モリブデンの酸化物若しくは酸化
窒化物、またはタングステンとモリブデンを含む合金の酸化物若しくは酸化窒化物を用い
ることが好ましい。
【０１４１】
また、剥離層１１３として、例えば、タングステンを含む層とタングステンの酸化物を含
む層の積層構造を形成する場合、タングステンを含む層に接して酸化物絶縁層を形成する
ことで、タングステンを含む層と酸化物絶縁層との界面に、酸化タングステンが形成され
ることを活用してもよい。また、タングステンを含む層の表面を、熱酸化処理、酸素プラ
ズマ処理、オゾン水等の酸化力の強い溶液での処理等を行ってタングステンの酸化物を含
む層を形成してもよい。
【０１４２】
本実施の形態では、剥離層１１３としてスパッタリング法によりタングステンを形成する
。
【０１４３】
〔絶縁層を形成する〕
次に、剥離層１１３上に下地層として絶縁層２０５を形成する（図９（Ａ）参照。）。絶
縁層２０５は、酸化シリコン、窒化シリコン、酸化窒化シリコン、窒化酸化シリコン、酸
化アルミニウム、酸化窒化アルミニウム、または窒化酸化アルミニウム等を、単層または
多層で形成するのが好ましい。例えば、絶縁層２０５を、酸化シリコンと窒化シリコンを
積層した２層構造としてもよいし、上記材料を組み合わせた５層構造としてもよい。絶縁
層２０５は、スパッタリング法やＣＶＤ法、熱酸化法、塗布法、印刷法等を用いて形成す
ることが可能である。
【０１４４】
絶縁層２０５の厚さは、３０ｎｍ以上５００ｎｍ以下、好ましくは５０ｎｍ以上４００ｎ
ｍ以下とすればよい。
【０１４５】
絶縁層２０５は、素子形成基板１０１や剥離層１１３などからの不純物元素の拡散を防止
、または低減することができる。また、素子形成基板１０１を基板１１１に換えた後も、
基板１１１や接着層１１２などから発光素子１２５への不純物元素の拡散を防止、または
低減することができる。本実施の形態では、絶縁層２０５としてプラズマＣＶＤ法により
厚さ２００ｎｍの酸化窒化シリコンと厚さ５０ｎｍの窒化酸化シリコンの積層膜を用いる
。
【０１４６】
〔ゲート電極を形成する〕
次に、絶縁層２０５上にゲート電極２０６を形成する（図９（Ａ）参照。）。ゲート電極
２０６は、アルミニウム、クロム、銅、タンタル、チタン、モリブデン、タングステンか
ら選ばれた金属元素、または上述した金属元素を成分とする合金か、上述した金属元素を
組み合わせた合金等を用いて形成することができる。また、マンガン、ジルコニウムのい
ずれか一または複数から選択された金属元素を用いてもよい。また、ゲート電極２０６は
、単層構造でも、二層以上の積層構造としてもよい。例えば、シリコンを含むアルミニウ
ム膜の単層構造、チタン膜上にアルミニウム膜を積層する二層構造、窒化チタン膜上にチ
タン膜を積層する二層構造、窒化チタン膜上にタングステン膜を積層する二層構造、窒化
タンタル膜または窒化タングステン膜上にタングステン膜を積層する二層構造、チタン膜
上に銅膜を積層する二層構造、チタン膜と、そのチタン膜上にアルミニウム膜を積層し、
さらにその上にチタン膜を形成する三層構造等がある。また、アルミニウムに、チタン、
タンタル、タングステン、モリブデン、クロム、ネオジム、スカンジウムから選ばれた一
または複数を組み合わせた合金膜、もしくは窒化膜を用いてもよい。
【０１４７】
また、ゲート電極２０６は、インジウム錫酸化物、酸化タングステンを含むインジウム酸
化物、酸化タングステンを含むインジウム亜鉛酸化物、酸化チタンを含むインジウム酸化
物、酸化チタンを含むインジウム錫酸化物、インジウム亜鉛酸化物、酸化シリコンを添加
したインジウム錫酸化物等の透光性を有する導電性材料を適用することもできる。また、
上記透光性を有する導電性材料と、上記金属元素の積層構造とすることもできる。
【０１４８】
まず、絶縁層２０５上に、プラズマＣＶＤ法、ＬＰＣＶＤ法、またはＭＯＣＶＤ（Ｍｅｔ
ａｌ  Ｏｒｇａｎｉｃ  Ｃｈｅｍｉｃａｌ  Ｖａｐｏｒ  Ｄｅｐｏｓｉｔｉｏｎ）法など
のＣＶＤ法や、ＡＬＤ法、スパッタリング法、蒸着法などにより、ゲート電極２０６とな
る導電膜を積層し、該導電膜上にフォトリソグラフィ工程によりレジストマスクを形成す
る。ゲート電極２０６となる導電膜をＭＯＣＶＤ法により形成すると、被形成面へのダメ
ージを少なくすることができる。次に、レジストマスクを用いてゲート電極２０６となる
導電膜の一部をエッチングして、ゲート電極２０６を形成する。この時、他の配線および
電極も同時に形成することができる。
【０１４９】
導電膜のエッチングは、ドライエッチング法でもウエットエッチング法でもよく、両方を
用いてもよい。なお、ドライエッチング法によりエッチングを行った場合、レジストマス
クを除去する前にアッシング処理を行うと、剥離液を用いたレジストマスクの除去を容易
とすることができる。
【０１５０】
なお、ゲート電極２０６は、上記形成方法の代わりに、電解メッキ法、印刷法、インクジ
ェット法等で形成してもよい。
【０１５１】
ゲート電極２０６の厚さは、５ｎｍ以上５００ｎｍ以下、より好ましくは１０ｎｍ以上３
００ｎｍ以下、より好ましくは１０ｎｍ以上２００ｎｍ以下である。
【０１５２】
また、ゲート電極２０６を、遮光性を有する導電性材料を用いて形成することで、外部か
らの光が、ゲート電極２０６側から半導体層２０８に到達しにくくすることができる。そ
の結果、光照射によるトランジスタの電気特性の変動を抑制することができる。
【０１５３】
〔ゲート絶縁層を形成する〕
次に、ゲート絶縁層２０７を形成する（図９（Ａ）参照。）。ゲート絶縁層２０７は、例
えば酸化シリコン、酸化窒化シリコン、窒化酸化シリコン、窒化シリコン、酸化アルミニ
ウム、酸化アルミニウムと酸化シリコンの混合物、酸化ハフニウム、酸化ガリウムまたは
Ｇａ−Ｚｎ系金属酸化物などを用いればよく、積層または単層で設ける。
【０１５４】
また、ゲート絶縁層２０７として、ハフニウムシリケート（ＨｆＳｉＯｘ）、窒素が添加
されたハフニウムシリケート（ＨｆＳｉｘＯｙＮｚ）、窒素が添加されたハフニウムアル
ミネート（ＨｆＡｌｘＯｙＮｚ）、酸化ハフニウム、酸化イットリウムなどのｈｉｇｈ−
ｋ材料を用いることでトランジスタのゲートリークを低減できる。例えば、酸化窒化シリ
コンと酸化ハフニウムの積層としてもよい。
【０１５５】
ゲート絶縁層２０７の厚さは、５ｎｍ以上４００ｎｍ以下、より好ましくは１０ｎｍ以上
３００ｎｍ以下、より好ましくは５０ｎｍ以上２５０ｎｍ以下とするとよい。
【０１５６】
ゲート絶縁層２０７は、スパッタリング法、ＣＶＤ法、蒸着法等で形成することができる
。
【０１５７】
ゲート絶縁層２０７として酸化シリコン膜、酸化窒化シリコン膜、または窒化酸化シリコ
ン膜を形成する場合、原料ガスとしては、シリコンを含む堆積性気体及び酸化性気体を用
いることが好ましい。シリコンを含む堆積性気体の代表例としては、シラン、ジシラン、
トリシラン、フッ化シラン等がある。酸化性気体としては、酸素、オゾン、一酸化二窒素
、二酸化窒素等がある。
【０１５８】
また、ゲート絶縁層２０７は、窒化物絶縁層と酸化物絶縁層をゲート電極２０６側から順
に積層する積層構造としてもよい。ゲート電極２０６側に窒化物絶縁層を設けることで、
ゲート電極２０６側から水素、窒素、アルカリ金属、またはアルカリ土類金属等が半導体
層２０８に移動することを防ぐことができる。なお、一般に、窒素、アルカリ金属、また
はアルカリ土類金属等は、半導体の不純物元素として機能する。また、水素は、酸化物半
導体の不純物元素として機能する。よって、本明細書等における「不純物」には、水素、
窒素、アルカリ金属、またはアルカリ土類金属等が含まれるものとする。
【０１５９】
また、半導体層２０８として酸化物半導体を用いる場合は、半導体層２０８側に酸化物絶
縁層を設けることで、ゲート絶縁層２０７と半導体層２０８の界面における欠陥準位を低
減することが可能である。この結果、電気特性の劣化の少ないトランジスタを得ることが
できる。なお、半導体層２０８として酸化物半導体を用いる場合は、酸化物絶縁層として
、化学量論的組成を満たす酸素よりも多くの酸素を含む酸化物絶縁層を用いて形成すると
、ゲート絶縁層２０７と半導体層２０８の界面における欠陥準位密度をさらに低減するこ
とが可能であるため好ましい。
【０１６０】
また、ゲート絶縁層２０７を、上記のように窒化物絶縁層と酸化物絶縁層の積層とする場
合、酸化物絶縁層よりも窒化物絶縁層を厚くすることが好ましい。
【０１６１】
窒化物絶縁層は酸化物絶縁層よりも比誘電率が大きいため、ゲート絶縁層２０７の膜厚を
厚くしても、ゲート電極２０６に生じる電界を効率よく半導体層２０８に伝えることがで
きる。また、ゲート絶縁層２０７全体を厚くすることで、ゲート絶縁層２０７の絶縁耐圧
を高めることができる。よって、半導体装置の信頼性を高めることができる。
【０１６２】
また、ゲート絶縁層２０７は、欠陥の少ない第１の窒化物絶縁層と、水素ブロッキング性
の高い第２の窒化物絶縁層と、酸化物絶縁層とが、ゲート電極２０６側から順に積層され
る積層構造とすることができる。ゲート絶縁層２０７に、欠陥の少ない第１の窒化物絶縁
層を用いることで、ゲート絶縁層２０７の絶縁耐圧を向上させることができる。また、ゲ
ート絶縁層２０７に、水素ブロッキング性の高い第２の窒化物絶縁層を設けることで、ゲ
ート電極２０６及び第１の窒化物絶縁層に含まれる水素が半導体層２０８に移動すること
を防ぐことができる。
【０１６３】
第１の窒化物絶縁層、第２の窒化物絶縁層の作製方法の一例を以下に示す。はじめに、シ
ラン、窒素、及びアンモニアの混合ガスを原料ガスとして用いたプラズマＣＶＤ法により
、欠陥の少ない窒化シリコン膜を第１の窒化物絶縁層として形成する。次に、原料ガスを
、シラン及び窒素の混合ガスに切り替えて、水素濃度が少なく、且つ水素をブロッキング
することが可能な窒化シリコン膜を第２の窒化物絶縁層として成膜する。このような形成
方法により、欠陥が少なく、且つ水素のブロッキング性を有する窒化物絶縁層が積層され
たゲート絶縁層２０７を形成することができる。
【０１６４】
また、ゲート絶縁層２０７は、不純物のブロッキング性が高い第３の窒化物絶縁層と、欠
陥の少ない第１の窒化物絶縁層と、水素ブロッキング性の高い第２の窒化物絶縁層と、酸
化物絶縁層とが、ゲート電極２０６側から順に積層される積層構造とすることができる。
ゲート絶縁層２０７に、不純物のブロッキング性が高い第３の窒化物絶縁層を設けること
で、ゲート電極２０６から水素、窒素、アルカリ金属、またはアルカリ土類金属等が半導
体層２０８に移動することを防ぐことができる。
【０１６５】
第１の窒化物絶縁層乃至第３の窒化物絶縁層の作製方法の一例を以下に示す。はじめに、
シラン、窒素、及びアンモニアの混合ガスを原料ガスとして用いたプラズマＣＶＤ法によ
り、不純物のブロッキング性が高い窒化シリコン膜を第３の窒化物絶縁層として形成する
。次に、アンモニアの流量の増加させることで、欠陥の少ない窒化シリコン膜を第１の窒
化物絶縁層として形成する。次に、原料ガスを、シラン及び窒素の混合ガスに切り替えて
、水素濃度が少なく、且つ水素をブロッキングすることが可能な窒化シリコン膜を第２の
窒化物絶縁層として成膜する。このような形成方法により、欠陥が少なく、且つ不純物の
ブロッキング性を有する窒化物絶縁層が積層されたゲート絶縁層２０７を形成することが
できる。
【０１６６】
また、ゲート絶縁層２０７として酸化ガリウム膜を形成する場合、ＭＯＣＶＤ法を用いて
形成することができる。
【０１６７】
なお、トランジスタのチャネルが形成される半導体層２０８と、酸化ハフニウムを含む絶
縁層を、酸化物絶縁層を介して積層し、酸化ハフニウムを含む絶縁層に電子を注入するこ
とで、トランジスタのしきい値電圧を変化させることができる。
【０１６８】
〔半導体層を形成する〕
半導体層２０８は、非晶質半導体、微結晶半導体、多結晶半導体等を用いて形成すること
ができる。例えば、非晶質シリコンや、微結晶ゲルマニウム等を用いることができる。ま
た、炭化シリコン、ガリウム砒素、酸化物半導体、窒化物半導体などの化合物半導体や、
有機半導体等を用いることができる。半導体層２０８は、プラズマＣＶＤ法、ＬＰＣＶＤ
法、またはＭＯＣＶＤ法などのＣＶＤ法の他に、ＡＬＤ法、スパッタリング法、塗布法、
印刷法などにより形成できる。半導体層２０８をＭＯＣＶＤ法により形成すると、被形成
面へのダメージを少なくすることができる。
【０１６９】
半導体層２０８の厚さは、３ｎｍ以上２００ｎｍ以下、好ましくは３ｎｍ以上１００ｎｍ
以下、さらに好ましくは３ｎｍ以上５０ｎｍ以下とする。本実施の形態では、半導体層２
０８として、スパッタリング法により厚さ３０ｎｍの酸化物半導体膜を形成する。
【０１７０】
続いて、酸化物半導体膜上にレジストマスクを形成し、該レジストマスクを用いて導電膜
の一部を選択的にエッチングすることで、半導体層２０８を形成する。レジストマスクの
形成は、フォトリソグラフィ法、印刷法、インクジェット法等を適宜用いて行うことがで
きる。レジストマスクをインクジェット法で形成すると、フォトマスクを使用しないため
、製造コストを低減できる。
【０１７１】
酸化物半導体膜のエッチングは、ドライエッチング法でもウエットエッチング法でもよく
、両方を用いてもよい。酸化物半導体膜のエッチング終了後、レジストマスクを除去する
（図９（Ｂ）参照。）。
【０１７２】
〔ソース電極、ドレイン電極等を形成する〕
次に、ソース電極２０９ａ、ドレイン電極２０９ｂ、配線２１９、および端子電極２１６
を形成する（図９（Ｃ）参照。）。まず、ゲート絶縁層２０７、半導体層２０８上に導電
膜を形成する。導電膜は、プラズマＣＶＤ法、ＬＰＣＶＤ法、またはＭＯＣＶＤ法などの
ＣＶＤ法や、ＡＬＤ法、スパッタリング法、蒸着法、塗布法、印刷法等により形成するこ
とができる。導電膜をＭＯＣＶＤ法により形成すると、被形成面へのダメージを少なくす
ることができる。
【０１７３】
導電膜としては、アルミニウム、チタン、クロム、ニッケル、銅、イットリウム、ジルコ
ニウム、モリブデン、銀、タンタル、またはタングステンからなる単体金属、またはこれ
を主成分とする合金を単層構造または積層構造として用いることができる。例えば、シリ
コンを含むアルミニウム膜の単層構造、チタン膜上にアルミニウム膜を積層する二層構造
、タングステン膜上にアルミニウム膜を積層する二層構造、銅−マグネシウム−アルミニ
ウム合金膜上に銅膜を積層する二層構造、チタン膜上に銅膜を積層する二層構造、タング
ステン膜上に銅膜を積層する二層構造、チタン膜または窒化チタン膜と、そのチタン膜ま
たは窒化チタン膜上に重ねてアルミニウム膜または銅膜を積層し、さらにその上にチタン
膜または窒化チタン膜を形成する三層構造、モリブデン膜または窒化モリブデン膜と、そ
のモリブデン膜または窒化モリブデン膜上に重ねてアルミニウム膜または銅膜を積層し、
さらにその上にモリブデン膜または窒化モリブデン膜を形成する三層構造、タングステン
膜上に銅膜を積層し、さらにその上にタングステン膜を形成する三層構造等がある。
【０１７４】
なお、インジウム錫酸化物、亜鉛酸化物、酸化タングステンを含むインジウム酸化物、酸
化タングステンを含むインジウム亜鉛酸化物、酸化チタンを含むインジウム酸化物、酸化
チタンを含むインジウム錫酸化物、インジウム亜鉛酸化物、酸化ケイ素を添加したインジ
ウム錫酸化物などの酸素を含む導電性材料、窒化チタン、窒化タンタルなどの窒素を含む
導電性材料を用いてもよい。また、前述した金属元素を含む材料と、酸素を含む導電性材
料を組み合わせた積層構造とすることもできる。また、前述した金属元素を含む材料と、
窒素を含む導電性材料を組み合わせた積層構造とすることもできる。また、前述した金属
元素を含む材料、酸素を含む導電性材料、および窒素を含む導電性材料を組み合わせた積
層構造とすることもできる。
【０１７５】
また、導電膜の厚さは、５ｎｍ以上５００ｎｍ以下、より好ましくは１０ｎｍ以上３００
ｎｍ以下、より好ましくは１０ｎｍ以上２００ｎｍ以下である。本実施の形態では、導電
膜として厚さ３００ｎｍのタングステン膜を形成する。
【０１７６】
次に、レジストマスクを用いて、導電膜の一部を選択的にエッチングし、ソース電極２０
９ａ、ドレイン電極２０９ｂ、配線２１９、および端子電極２１６（これと同じ層で形成
される他の電極または配線を含む）を形成する。レジストマスクの形成は、フォトリソグ
ラフィ法、印刷法、インクジェット法等を適宜用いて行うことができる。レジストマスク
をインクジェット法で形成するとフォトマスクを使用しないため、製造コストを低減でき
る。
【０１７７】
導電膜のエッチングは、ドライエッチング法でもウエットエッチング法でもよく、両方を
用いてもよい。なお、エッチング工程により、露出した半導体層２０８の一部が除去され
る場合がある。
【０１７８】
導電膜のエッチング終了後、レジストマスクを除去する（図９（Ｃ）参照。）。
【０１７９】
〔絶縁層を形成する〕
次に、ソース電極２０９ａ、ドレイン電極２０９ｂ、配線２１９、および端子電極２１６
上に絶縁層２１０を形成する（図９（Ｄ）参照。）。絶縁層２１０は、絶縁層２０５と同
様の材料および方法で形成することができる。
【０１８０】
また、半導体層２０８に酸化物半導体を用いる場合は、少なくとも絶縁層２１０の半導体
層２０８と接する領域に、酸素を含む絶縁層を用いることが好ましい。例えば、絶縁層２
１０を複数層の積層とする場合、少なくとも半導体層２０８と接する層を酸化シリコンで
形成すればよい。
【０１８１】
〔開口の形成〕
次に、レジストマスクを用いて、絶縁層２１０の一部を選択的にエッチングし、開口１２
８を形成する（図９（Ｄ）参照。）。この時、図示しない他の開口も同時に形成する。レ
ジストマスクの形成は、フォトリソグラフィ法、印刷法、インクジェット法等を適宜用い
て行うことができる。レジストマスクをインクジェット法で形成するとフォトマスクを使
用しないため、製造コストを低減できる。
【０１８２】
絶縁層２１０のエッチングは、ドライエッチング法でもウエットエッチング法でもよく、
両方を用いてもよい。
【０１８３】
開口１２８の形成により、ドレイン電極２０９ｂ、端子電極２１６の一部が露出する。開
口１２８の形成後、レジストマスクを除去する。
【０１８４】
〔平坦化膜を形成する〕
次に、絶縁層２１０上に絶縁層２１１を形成する（図１０（Ａ）参照。）。絶縁層２１１
は、絶縁層２０５と同様の材料および方法で形成することができる。
【０１８５】
また、発光素子１２５の被形成面の表面凹凸を低減するために、絶縁層２１１に平坦化処
理を行ってもよい。平坦化処理として特に限定はないが、研磨処理（例えば、化学的機械
研磨法（Ｃｈｅｍｉｃａｌ  Ｍｅｃｈａｎｉｃａｌ  Ｐｏｌｉｓｈｉｎｇ：ＣＭＰ））、
やドライエッチング処理により行うことができる。
【０１８６】
また、平坦化機能を有する絶縁材料を用いて絶縁層２１１を形成することで、研磨処理を
省略することもできる。平坦化機能を有する絶縁材料として、例えば、ポリイミド樹脂、
アクリル樹脂等の有機材料を用いることができる。また上記有機材料の他に、低誘電率材
料（ｌｏｗ−ｋ材料）等を用いることができる。なお、これらの材料で形成される絶縁層
を複数積層させることで、絶縁層２１１を形成してもよい。
【０１８７】
また、開口１２８と重畳する領域の絶縁層２１１の一部を除去して、開口１２９を形成す
る。この時、図示しない他の開口も同時に形成する。また、後に外部電極１２４が接続す
る領域の絶縁層２１１は除去する。なお、開口１２９等は、絶縁層２１１上にフォトリソ
グラフィ工程によるレジストマスクの形成を行い、絶縁層２１１のレジストマスクに覆わ
れていない領域をエッチングすることで形成できる。開口１２９を形成することにより、
ドレイン電極２０９ｂの表面を露出させる。
【０１８８】
また、絶縁層２１１に感光性を有する材料を用いることで、レジストマスクを用いること
なく開口１２９を形成することができる。本実施の形態では、感光性のポリイミド樹脂を
用いて絶縁層２１１および開口１２９を形成する。
【０１８９】
〔陽極を形成する〕
次に、絶縁層２１１上に電極１１５を形成する（図１０（Ｂ）参照。）。電極１１５は、
後に形成されるＥＬ層１１７が発する光を効率よく反射する導電性材料を用いて形成する
ことが好ましい。なお、電極１１５は単層に限らず、複数層の積層構造としてもよい。例
えば、電極１１５を陽極として用いる場合、ＥＬ層１１７と接する層を、インジウム錫酸
化物などのＥＬ層１１７よりも仕事関数が大きく透光性を有する層とし、その層に接して
反射率の高い層（アルミニウム、アルミニウムを含む合金、または銀など）を設けてもよ
い。
【０１９０】
なお、本実施の形態では、トップエミッション構造の表示装置について例示するが、ボト
ムエミッション構造（下面射出構造）、またはデュアルエミッション構造（両面射出構造
）の表示装置とすることもできる。
【０１９１】
表示装置１００を、ボトムエミッション構造（下面射出構造）、またはデュアルエミッシ
ョン構造（両面射出構造）の表示装置とする場合は、電極１１５に透光性を有する導電性
材料を用いればよい。
【０１９２】
電極１１５は、絶縁層２１１上に電極１１５となる導電膜を形成し、該導電膜上にレジス
トマスクを形成し、該導電膜のレジストマスクに覆われていない領域をエッチングするこ
とで形成できる。該導電膜のエッチングは、ドライエッチング法、ウエットエッチング法
、または双方を組み合わせたエッチング法を用いることができる。レジストマスクの形成
は、フォトリソグラフィ法、印刷法、インクジェット法等を適宜用いて行うことができる
。レジストマスクをインクジェット法で形成すると、フォトマスクを使用しないため、製
造コストを低減できる。電極１１５の形成後、レジストマスクを除去する。
【０１９３】
〔隔壁を形成する〕
次に、隔壁１１４を形成する（図１０（Ｃ）参照。）。隔壁１１４は、隣接する画素の発
光素子１２５が意図せず電気的に短絡し、誤発光することを防ぐために設ける。また、後
述するＥＬ層１１７の形成にメタルマスクを用いる場合、メタルマスクが電極１１５に接
触しないようにする機能も有する。隔壁１１４は、エポキシ樹脂、アクリル樹脂、イミド
樹脂などの有機樹脂材料や、酸化シリコンなどの無機材料で形成することができる。隔壁
１１４は、その側壁がテーパーまたは連続した曲率を持って形成される傾斜面となるよう
に形成することが好ましい。隔壁１１４の側壁をこのような形状とすることで、後に形成
されるＥＬ層１１７や電極１１８の被覆性を良好なものとすることができる。
【０１９４】
〔ＥＬ層を形成する〕
ＥＬ層１１７の構成については、実施の形態７で説明する。
【０１９５】
〔陰極を形成する〕
本実施の形態では電極１１８を陰極として用いるため、電極１１８を後述するＥＬ層１１
７に電子を注入できる仕事関数の小さい材料を用いて形成することが好ましい。また、仕
事関数の小さい金属単体ではなく、仕事関数の小さいアルカリ金属、またはアルカリ土類
金属を数ｎｍ形成した層を緩衝層として形成し、その上にアルミニウムなどの金属材料、
インジウム錫酸化物等の導電性を有する酸化物材料、または半導体材料を用いて形成して
もよい。また、緩衝層として、アルカリ土類金属の酸化物、ハロゲン化物、または、マグ
ネシウム−銀等の合金を用いることもできる。
【０１９６】
また、電極１１８を介して、ＥＬ層１１７が発する光を取り出す場合には、電極１１８は
、可視光に対し透光性を有することが好ましい。電極１１５、ＥＬ層１１７、電極１１８
により、発光素子１２５が形成される（図１０（Ｄ）参照。）。
【０１９７】
〔対向素子形成基板を形成する〕
遮光層２６４、着色層２６６、およびオーバーコート層２６８、絶縁層１４５、剥離層１
４３が形成された素子形成基板１４１を、接着層１２０を介して素子形成基板１０１上に
形成する（図１１（Ａ）参照。）。なお、素子形成基板１４１は素子形成基板１０１と向
かい合うように形成されるため、素子形成基板１４１を「対向素子形成基板」と呼ぶ場合
がある。素子形成基板１４１（対向素子形成基板）の構成については、追って説明する。
【０１９８】
接着層１２０は、電極１１８に接して形成される。素子形成基板１４１は、接着層１２０
により固定される。接着層１２０としては、光硬化型の接着剤、反応硬化型接着剤、熱硬
化型接着剤、または嫌気型接着剤を用いることができる。例えば、エポキシ樹脂、アクリ
ル樹脂、イミド樹脂等を用いることができる。トップエミッション構造の場合は接着層１
２０に光の波長以下の大きさの乾燥剤（ゼオライト等）や、屈折率の大きいフィラー（酸
化チタンや、ジルコニウム等）を混合すると、ＥＬ層１１７が発する光の取り出し効率が
向上するため好適である。
【０１９９】
〔素子形成基板を絶縁層から剥離する〕
次に、剥離層１１３を介して絶縁層２０５と接する素子形成基板１０１を、絶縁層２０５
から剥離する（図１１（Ｂ）参照。）。剥離方法としては、機械的な力を加えること（人
間の手や治具で引き剥がす処理や、ローラーを回転させながら分離する処理、超音波等）
を用いて行えばよい。たとえば、剥離層１１３に鋭利な刃物またはレーザ光照射等で切り
込みをいれ、その切り込みに水を注入する。または、その切り込みに水を吹き付ける。毛
細管現象により水が剥離層１１３と絶縁層２０５の間にしみこむことにより、素子形成基
板１０１を絶縁層２０５から容易に剥離することができる。
【０２００】
〔基板を貼り合わせる〕
次に、接着層１１２を介して基板１１１を絶縁層２０５に貼り合わせる（図１２（Ａ）、
図１２（Ｂ）参照。）。接着層１１２は、接着層１２０と同様の材料を用いることができ
る。
【０２０１】
〔対向素子形成基板を絶縁層から剥離する〕
次に、剥離層１４３を介して絶縁層１４５と接する素子形成基板１４１を、絶縁層１４５
から剥離する（図１３（Ａ）参照。）。素子形成基板１４１の剥離は、前述した素子形成
基板１０１の剥離と同様の方法で行うことができる。
【０２０２】
〔基板を貼り合わせる〕
次に、接着層１４２を介して基板１２１を絶縁層１４５に貼り合わせる（図１３（Ｂ）参
照。）。接着層１４２は、接着層１２０と同様の材料を用いることができる。
【０２０３】
〔開口を形成する〕
次に、端子電極２１６および開口１２８と重畳する領域の、基板１２１、接着層１４２、
絶縁層１４５、着色層２６６、オーバーコート層２６８、および接着層１２０を除去して
、開口１２２を形成する（図１４（Ａ）参照。）。開口１２２を形成することにより、端
子電極２１６の表面の一部が露出する。
【０２０４】
〔外部電極を形成する〕
次に、開口１２２に異方性導電接続層１２３を形成し、異方性導電接続層１２３上に、表
示装置１００に電力や信号を入力するための外部電極１２４を形成する（図１４（Ｂ）参
照）。端子電極２１６は、異方性導電接続層１２３を介して外部電極１２４と電気的に接
続される。なお、外部電極１２４としては、例えばＦＰＣ（Ｆｌｅｘｉｂｌｅ  ｐｒｉｎ
ｔｅｄ  ｃｉｒｃｕｉｔ）を用いることができる。
【０２０５】
異方性導電接続層１２３は、様々な異方性導電フィルム（ＡＣＦ：Ａｎｉｓｏｔｒｏｐｉ
ｃ  Ｃｏｎｄｕｃｔｉｖｅ  Ｆｉｌｍ）や、異方性導電ペースト（ＡＣＰ：Ａｎｉｓｏｔ
ｒｏｐｉｃ  Ｃｏｎｄｕｃｔｉｖｅ  Ｐａｓｔｅ）などを用いて形成することができる。
【０２０６】
異方性導電接続層１２３は、熱硬化性、又は熱硬化性及び光硬化性の樹脂に導電性粒子を
混ぜ合わせたペースト状又はシート状の材料を硬化させたものである。異方性導電接続層
１２３は、光照射や熱圧着によって異方性の導電性を示す材料となる。異方性導電接続層
１２３に用いられる導電性粒子としては、例えば球状の有機樹脂をＡｕやＮｉ、Ｃｏ等の
薄膜状の金属で被覆した粒子を用いることができる。
【０２０７】
〔対向素子形成基板に形成される構造物〕
次に、素子形成基板１４１に形成される遮光層２６４などの構造物について、図１５を用
いて説明する。
【０２０８】
まず、素子形成基板１４１を準備する。素子形成基板１４１としては、素子形成基板１０
１と同様の材料を用いることができる。次に、素子形成基板１４１上に剥離層１４３と絶
縁層１４５を形成する（図１５（Ａ）参照）。剥離層１４３は、剥離層１１３と同様の材
料および方法で形成することができる。また、絶縁層１４５は、絶縁層２０５と同様の材
料および方法で形成することができる。
【０２０９】
次に、絶縁層１４５上に、遮光層２６４を形成する（図１５（Ｂ）参照）。その後、着色
層２６６を形成する（図１５（Ｃ）参照）。
【０２１０】
遮光層２６４および着色層２６６は、様々な材料を用いて、印刷法、インクジェット法、
フォトリソグラフィ法を用いて、それぞれ所望の位置に形成する。
【０２１１】
次に、遮光層２６４および着色層２６６上にオーバーコート層２６８を形成する（図１５
（Ｄ）参照）。
【０２１２】
オーバーコート層２６８としては、例えばアクリル樹脂、エポキシ樹脂、ポリイミド樹脂
等の有機絶縁層を用いることができる。オーバーコート層２６８を形成することによって
、例えば、着色層２６６中に含まれる不純物等を発光素子１２５側に拡散することを抑制
することができる。ただし、オーバーコート層２６８は、必ずしも設ける必要はない。
【０２１３】
また、オーバーコート層２６８として透光性を有する導電膜を形成してもよい。オーバー
コート層２６８として透光性を有する導電膜を設けることで、発光素子１２５から発せら
れた光２３５を透過し、かつ、イオン化した不純物の透過を防ぐことができる。
【０２１４】
透光性を有する導電膜は、例えば、酸化インジウム、インジウム錫酸化物（ＩＴＯ：Ｉｎ
ｄｉｕｍ  Ｔｉｎ  Ｏｘｉｄｅ）、インジウム亜鉛酸化物、酸化亜鉛、ガリウムを添加し
た酸化亜鉛などを用いて形成することができる。また、グラフェン等の他、透光性を有す
る程度に薄く形成された金属膜を用いてもよい。
【０２１５】
以上の工程で素子形成基板１４１に遮光層２６４などの構造物を形成することができる。
【０２１６】
本実施の形態は、他の実施の形態に記載した構成と適宜組み合わせて実施することが可能
である。
【０２１７】
（実施の形態６）
トップエミッション構造の表示装置１００の構成を変形して、ボトムエミッション構造の
表示装置１５０を作製することができる。
【０２１８】
図１６に、ボトムエミッション構造の表示装置１５０の断面構成例を示す。なお、図１６
は、表示装置１００の斜視図である図１（Ａ）中に一点鎖線で示した部位Ｘ１−Ｘ２と、
同等の部位の断面図である。ボトムエミッション構造の表示装置１５０は、遮光層２６４
、着色層２６６、およびオーバーコート層２６８の形成位置が、表示装置１００と異なる
。具体的には、表示装置１５０では、遮光層２６４、着色層２６６、およびオーバーコー
ト層２６８が、基板１１１上に形成される。
【０２１９】
また、表示装置１５０では、絶縁層１４５を基板１２１に直接形成して、接着層１２０を
介して基板１１１と貼り合せることができる。すなわち、絶縁層１４５を素子形成基板１
４１から転置する必要がないため、素子形成基板１４１、剥離層１４３、接着層１４２を
不要とすることができる。よって、表示装置の生産性や歩留まりなどを向上することがで
きる。なお、表示装置１５０の他の構成は、表示装置１００と同様に形成することができ
る。
【０２２０】
また、ボトムエミッション構造の表示装置１５０は、電極１１５を、透光性を有する導電
性材料を用いて形成され、電極１１８を、ＥＬ層１１７が発する光を効率よく反射する導
電性材料を用いて形成される。
【０２２１】
また、ボトムエミッション構造の表示装置１５０に用いる、配線１３８および配線１５１
（図１６に図示せず。）は、透光性を有する材料で形成することが好ましい。
【０２２２】
表示装置１５０は、ＥＬ層１１７から発せられる光２３５を、着色層２６６を介して基板
１１１側から射出することができる。
【０２２３】
なお、表示装置１５０では、駆動回路１３３を構成するトランジスタとして、トランジス
タ２７２を用いる例を示している。トランジスタ２７２は、トランジスタ２５２と同様に
形成することができるが、絶縁層２１０上の半導体層２０８と重畳する領域に電極２６３
を有する点が異なる。電極２６３は、ゲート電極２０６と同様の材料および方法により形
成することができる。
【０２２４】
電極２６３は、ゲート電極として機能させることができる。なお、ゲート電極２０６およ
び電極２６３のどちらか一方を、単に「ゲート電極」という場合、他方を「バックゲート
電極」という場合がある。また、ゲート電極２０６および電極２２６のどちらか一方を、
「第１のゲート電極」といい、他方を「第２のゲート電極」という場合がある。
【０２２５】
一般に、バックゲート電極は導電膜で形成され、ゲート電極とバックゲート電極で半導体
層のチャネル形成領域を挟むように配置される。よって、バックゲート電極は、ゲート電
極と同様に機能させることができる。バックゲート電極の電位は、ゲート電極と同電位と
してもよく、ＧＮＤ電位や、任意の電位としてもよい。バックゲート電極の電位を変化さ
せることで、トランジスタのしきい値電圧を変化させることができる。
【０２２６】
また、ゲート電極とバックゲート電極は導電膜で形成されるため、トランジスタの外部で
生じる電界が、チャネルが形成される半導体層に作用しないようにする機能（特に静電気
に対する静電遮蔽機能）も有する。
【０２２７】
また、バックゲート電極側から光が入射する場合に、バックゲート電極を、遮光性を有す
る導電膜で形成することで、バックゲート電極側から半導体層に光が入射することを防ぐ
ことができる。よって、半導体層の光劣化を防ぎ、トランジスタのしきい値電圧がシフト
するなどの電気特性の劣化を防ぐことができる。
【０２２８】
半導体層２０８を挟んでゲート電極２０６および電極２６３を設けることで、更にはゲー
ト電極２０６および電極２６３を同電位とすることで、半導体層２０８においてキャリア
の流れる領域が膜厚方向においてより大きくなるため、キャリアの移動量が増加する。こ
の結果、トランジスタのオン電流が大きくなると共に、電界効果移動度が高くなる。
【０２２９】
また、ゲート電極２０６および電極２６３は、それぞれが外部からの電界を遮蔽する機能
を有するため、ゲート電極２０６よりも下層、電極２６３よりも上層に存在する電荷が、
半導体層２０８に影響しない。この結果、ストレス試験（例えば、ゲートに負の電圧を印
加する−ＧＢＴ（Ｇａｔｅ  Ｂｉａｓ−Ｔｅｍｐｅｒａｔｕｒｅ）ストレス試験や、ゲー
トに正の電圧を印加する＋ＧＢＴストレス試験）の前後におけるしきい値電圧の変動が小
さい。また、異なるドレイン電圧におけるオン電流の立ち上がり電圧の変動を抑制するこ
とができる。
【０２３０】
なお、ＢＴストレス試験は加速試験の一種であり、長期間の使用によって起こるトランジ
スタの特性変化（即ち、経年変化）を、短時間で評価することができる。特に、ＢＴスト
レス試験前後におけるトランジスタのしきい値電圧の変動量は、信頼性を調べるための重
要な指標となる。ＢＴストレス試験前後において、しきい値電圧の変動量が少ないほど、
信頼性が高いトランジスタであるといえる。
【０２３１】
また、ゲート電極２０６および電極２６３を有し、且つゲート電極２０６および電極２６
３を同電位とすることで、しきい値電圧の変動量が低減される。このため、複数のトラン
ジスタにおける電気特性のばらつきも同時に低減される。
【０２３２】
なお、表示領域１３１中に形成されるトランジスタ２３２に、バックゲート電極を設けて
もよい。
【０２３３】
なお、図２１（Ａ）および図２１（Ｂ）などと同様に、タッチセンサを設けてもよい。そ
の場合の例を、図２２（Ａ）および図２２（Ｂ）に示す。
【０２３４】
本実施の形態は、他の実施の形態に記載した構成と適宜組み合わせて実施することが可能
である。
【０２３５】
（実施の形態７）
本実施の形態では、発光素子１２５に用いることができる発光素子の構成例について説明
する。なお、本実施の形態に示すＥＬ層３２０が、他の実施の形態に示したＥＬ層１１７
に相当する。
【０２３６】
＜発光素子の構成＞
図１７（Ａ）に示す発光素子３３０は、一対の電極（電極３１８、電極３２２）間にＥＬ
層３２０が挟まれた構造を有する。なお、以下の本実施の形態の説明においては、例とし
て、電極３１８を陽極として用い、電極３２２を陰極として用いるものとする。
【０２３７】
また、ＥＬ層３２０は、少なくとも発光層を含んで形成されていればよく、発光層以外の
機能層を含む積層構造であっても良い。発光層以外の機能層としては、正孔注入性の高い
物質、正孔輸送性の高い物質、電子輸送性の高い物質、電子注入性の高い物質、バイポー
ラ性（電子及び正孔の輸送性の高い物質）の物質等を含む層を用いることができる。具体
的には、正孔注入層、正孔輸送層、電子輸送層、電子注入層等の機能層を適宜組み合わせ
て用いることができる。
【０２３８】
図１７（Ａ）に示す発光素子３３０は、電極３１８と電極３２２との間に生じた電位差に
より電流が流れ、ＥＬ層３２０において正孔と電子とが再結合し、発光するものである。
つまりＥＬ層３２０に発光領域が形成されるような構成となっている。
【０２３９】
本発明の一態様において、発光素子３３０からの発光は、電極３１８、または電極３２２
側から外部に取り出される。従って、電極３１８、または電極３２２のいずれか一方は透
光性を有する物質で成る。
【０２４０】
なお、ＥＬ層３２０は図１７（Ｂ）に示す発光素子３３１のように、電極３１８と電極３
２２との間に複数積層されていても良い。ｎ層（ｎは２以上の自然数）の積層構造を有す
る場合には、ｍ番目（ｍは、１≦ｍ＜ｎを満たす自然数）のＥＬ層３２０と、（ｍ＋１）
番目のＥＬ層３２０との間には、それぞれ電荷発生層３２０ａを設けることが好ましい。
【０２４１】
電荷発生層３２０ａは、有機化合物と金属酸化物の複合材料、金属酸化物、有機化合物と
アルカリ金属、アルカリ土類金属、またはこれらの化合物との複合材料の他、これらを適
宜組み合わせて形成することができる。有機化合物と金属酸化物の複合材料としては、例
えば、有機化合物と酸化バナジウムや酸化モリブデンや酸化タングステン等の金属酸化物
を含む。有機化合物としては、芳香族アミン化合物、カルバゾール誘導体、芳香族炭化水
素等の低分子化合物、または、それらの低分子化合物のオリゴマー、デンドリマー、ポリ
マー等、種々の化合物を用いることができる。なお、有機化合物としては、正孔輸送性有
機化合物として正孔移動度が１０−６ｃｍ２／Ｖｓ以上であるものを適用することが好ま
しい。但し、電子よりも正孔の輸送性の高い物質であれば、これら以外のものを用いても
よい。なお、電荷発生層３２０ａに用いるこれらの材料は、キャリア注入性、キャリア輸
送性に優れているため、発光素子３３０の低電流駆動、および低電圧駆動を実現すること
ができる。
【０２４２】
なお、電荷発生層３２０ａは、有機化合物と金属酸化物の複合材料と他の材料とを組み合
わせて形成してもよい。例えば、有機化合物と金属酸化物の複合材料を含む層と、電子供
与性物質の中から選ばれた一の化合物と電子輸送性の高い化合物とを含む層とを組み合わ
せて形成してもよい。また、有機化合物と金属酸化物の複合材料を含む層と、透明導電膜
とを組み合わせて形成してもよい。
【０２４３】
このような構成を有する発光素子３３１は、エネルギーの移動や消光などの問題が起こり
難く、材料の選択の幅が広がることで高い発光効率と長い寿命とを併せ持つ発光素子とす
ることが容易である。また、一方の発光層で燐光発光、他方で蛍光発光を得ることも容易
である。
【０２４４】
なお、電荷発生層３２０ａとは、電極３１８と電極３２２に電圧を印加したときに、電荷
発生層３２０ａに接して形成される一方のＥＬ層３２０に対して電子を注入する機能を有
し、他方のＥＬ層３２０に正孔を注入する機能を有する。
【０２４５】
図１７（Ｂ）に示す発光素子３３１は、ＥＬ層３２０に用いる発光物質の種類を変えるこ
とにより様々な発光色を得ることができる。また、発光物質として発光色の異なる複数の
発光物質を用いることにより、ブロードなスペクトルの発光や白色発光を得ることもでき
る。
【０２４６】
図１７（Ｂ）に示す発光素子３３１を用いて、白色発光を得る場合、複数のＥＬ層の組み
合わせとしては、赤、青及び緑色の光を含んで白色に発光する構成であればよく、例えば
、青色の蛍光材料を発光物質として含む発光層と、緑色と赤色の燐光材料を発光物質とし
て含む発光層を有する構成が挙げられる。また、赤色の発光を示す発光層と、緑色の発光
を示す発光層と、青色の発光を示す発光層とを有する構成とすることもできる。または、
補色の関係にある光を発する発光層を有する構成であっても白色発光が得られる。発光層
が２層積層された積層型素子において、一方の発光層から得られる発光の発光色ともう一
方の発光層から得られる発光の発光色を補色の関係にする場合、補色の関係としては、青
色と黄色、あるいは青緑色と赤色などが挙げられる。
【０２４７】
なお、上述した積層型素子の構成において、積層される発光層の間に電荷発生層を配置す
ることにより、電流密度を低く保ったまま、高輝度領域での長寿命素子を実現することが
できる。また、電極材料の抵抗による電圧降下を小さくできるので、大面積での均一な発
光が可能となる。
【０２４８】
本実施の形態は、他の実施の形態に記載した構成と適宜組み合わせて実施することが可能
である。
【０２４９】
（実施の形態８）
本実施の形態では、図１８を用いて、表示装置１００が有する画素１３０に適用可能な画
素の平面形状および配列の一例を説明する。
【０２５０】
図１８（Ａ）は、横方向において、副画素がＨ配列である画素１３０と副画素がＶ配列で
ある画素１３０を交互に配置し、また、縦方向においても、副画素がＨ配列である画素１
３０と副画素がＶ配列である画素１３０を交互に配置する例を示している。Ｈ配列の画素
１３０と、Ｖ配列の画素１３０を交互に配置することで、表示装置１００の表示品位のば
らつきを軽減することができる。
【０２５１】
図１８（Ｂ）は、画素１３０が有する副画素の平面形状を、屈曲した形状にする例を示し
ている。副画素を屈曲した形状にすることにより、図１８（Ａ）に示した配列と同等の効
果を得ることができ、表示装置１００の表示品位のばらつきを軽減することができる。な
お、図１８（Ｂ）中に示す屈曲角θは、８０°以上１００°以下が好ましく、８５°以上
９５°以下がより好ましい。
【０２５２】
図１８（Ａ）および図１８（Ｂ）に示す画素の平面形状および配列は、表示領域１３１の
全体もしくは表示領域１３１の大部分が湾曲している場合などに特に有効である。
【０２５３】
本実施の形態は、他の実施の形態に記載した構成と適宜組み合わせて実施することが可能
である。
【０２５４】
（実施の形態９）
本実施の形態では、本発明の一態様の表示装置が適用された電子機器の一例について、図
面を参照して説明する。
【０２５５】
フレキシブルな形状を備える表示装置を適用した電子機器として、例えば、テレビジョン
装置（テレビ、又はテレビジョン受信機ともいう）、コンピュータ用などのモニタ、デジ
タルカメラ、デジタルビデオカメラなどのカメラ、デジタルフォトフレーム、携帯電話機
（携帯電話、携帯電話装置ともいう）、携帯型ゲーム機、携帯情報端末、音響再生装置、
パチンコ機などの大型ゲーム機などが挙げられる。
【０２５６】
図２３（Ａ）は、リストバンド型の表示装置の一例を示している。携帯表示装置７１００
は、筐体７１０１、湾曲した表示部７１０２、操作ボタン７１０３、及び送受信装置７１
０４を備える。
【０２５７】
携帯表示装置７１００は、送受信装置７１０４によって映像信号を受信可能で、受信した
映像を表示部７１０２に表示することができる。また、音声信号を他の受信機器に送信す
ることもできる。
【０２５８】
また、操作ボタン７１０３によって、電源のＯＮ、ＯＦＦ動作や表示する映像の切り替え
、または音声のボリュームの調整などを行うことができる。
【０２５９】
ここで、表示部７１０２には、本発明の一態様の表示装置が組み込まれている。したがっ
て、表示品位が良好で、且つ信頼性の高い携帯表示装置とすることができる。
【０２６０】
図２３（Ｂ）は、携帯電話機の一例を示している。携帯電話機７４００は、筐体７４０１
に組み込まれた屈曲した領域を有する表示部７４０２の他、操作ボタン７４０３、外部接
続ポート７４０４、スピーカ７４０５、マイク７４０６などを備えている。なお、携帯電
話機７４００は、表示装置を表示部７４０２に用いることにより作製される。
【０２６１】
図２３（Ｂ）に示す携帯電話機７４００は、表示部７４０２を指などで触れることで、情
報を入力することができる。また、電話を掛ける、或いは文字を入力するなどのあらゆる
操作は、表示部７４０２を指などで触れることにより行うことができる。
【０２６２】
また操作ボタン７４０３の操作により、電源のＯＮ、ＯＦＦや、表示部７４０２に表示さ
れる画像の種類を切り替えることができる。例えば、メール作成画面から、メインメニュ
ー画面に切り替えることができる。
【０２６３】
ここで、表示部７４０２には、本発明の一態様の表示装置が組み込まれている。したがっ
て、表示品位が良好で、且つ信頼性の高い携帯電話機とすることができる。
【０２６４】
図２３（Ｃ）は、テレビジョン装置の一例を示している。テレビジョン装置９６００は、
筐体９６０１に表示部９６０２が組み込まれている。湾曲した領域を有する表示部９６０
２により、映像を表示することが可能である。また、筐体９６０１の側面にスピーカ９６
０３を有している。また、ここでは、スタンド９６０４により筐体９６０１を支持した構
成を示している。上記実施の形態で示した表示装置を適用することにより、信頼性の高い
テレビジョン装置とすることができる。
【０２６５】
ここで、表示部９６０２には、本発明の一態様の表示装置が組み込まれている。したがっ
て、表示品位が良好で、且つ信頼性の高いテレビジョン装置とすることができる。
【０２６６】
テレビジョン装置の操作は、筐体９６０１が備える操作スイッチや、別体のリモコン操作
機により行うことができる。また、リモコン操作機に、当該リモコン操作機から出力する
情報を表示する表示部を設ける構成としてもよい。
【０２６７】
なお、テレビジョン装置は、受信機やモデムなどを備えた構成とする。受信機により一般
のテレビ放送の受信を行うことができ、さらにモデムを介して有線または無線による通信
ネットワークに接続することにより、一方向（送信者から受信者）または双方向（送信者
と受信者間、あるいは受信者間同士など）の情報通信を行うことも可能である。
【０２６８】
本実施の形態に示す構成及び方法などは、他の実施の形態に示す構成及び方法などと適宜
組み合わせて用いることができる。
【符号の説明】
【０２６９】
１００    表示装置
１０１    素子形成基板
１１１    基板
１１２    接着層
１１３    剥離層
１１４    隔壁
１１５    電極
１１７    ＥＬ層
１１８    電極
１２０    接着層
１２１    基板
１２２    開口
１２３    異方性導電接続層
１２４    外部電極
１２５    発光素子
１２８    開口
１２９    開口
１３１    表示領域
１３３    駆動回路
１３４    画素回路
１３５    配線
１３６    配線
１３７    配線
１３８    配線
１３９    配線
１４１    素子形成基板
１４２    接着層
１４３    剥離層
１４５    絶縁層
１５０    表示装置
１５１    配線
１５２    配線
１５３    開口
１５４    開口
１５５    開口
１５６    配線
１６０    領域
１６１    部位
１６５    画素
１６６    配列方向
１６８    法線
１７０    領域
１７１    部位
１７５    画素
１７６    配列方向
１７８    法線
１８１    部位
２０５    絶縁層
２０６    ゲート電極
２０７    ゲート絶縁層
２０８    半導体層
２１０    絶縁層
２１１    絶縁層
２１６    端子電極
２１９    配線
２２６    電極
２３２    トランジスタ
２３３    容量素子
２３５    光
２５２    トランジスタ
２６３    電極
２６４    遮光層
２６６    着色層
２６８    オーバーコート層
２７２    トランジスタ
３１８    電極
３２０    ＥＬ層
３２２    電極
３３０    発光素子
３３１    発光素子
４３１    トランジスタ
４３２    液晶素子
４３４    トランジスタ
４３５    ノード
４３６    ノード
４３７    ノード
９００    表示装置
９１０    観察者
９９１    導電層
９９２    絶縁層
９９３    導電層
９９４    基板
７１００    携帯表示装置
７１０１    筐体
７１０２    表示部
７１０３    操作ボタン
７１０４    送受信装置
７４００    携帯電話機
７４０１    筐体
７４０２    表示部
７４０３    操作ボタン
７４０４    外部接続ポート
７４０５    スピーカ
７４０６    マイク
９６００    テレビジョン装置
９６０１    筐体
９６０２    表示部
９６０３    スピーカ
９６０４    スタンド
１１７Ｂ    ＥＬ層
１１７Ｇ    ＥＬ層
１１７Ｒ    ＥＬ層
１２５Ｂ    発光素子
１２５Ｇ    発光素子
１２５Ｒ    発光素子
１３２ａ    駆動回路
１３２ｂ    駆動回路
１３４Ｂ    画素回路
１３４Ｇ    画素回路
１３４Ｒ    画素回路
１６５Ｂ    副画素
１６５Ｇ    副画素
１６５Ｒ    副画素
１６５Ｗ    副画素
１７５Ｂ    副画素
１７５Ｇ    副画素
１７５Ｒ    副画素
２０９ａ    ソース電極
２０９ｂ    ドレイン電極
２３５Ｂ    光
２３５Ｇ    光
２３５Ｒ    光
２６６Ｂ    着色層
２６６Ｇ    着色層
２６６Ｒ    着色層
３２０ａ    電荷発生層
【図１】
2020106863.tif 000003
【図２】
2020106863.tif 000004
【図３】
2020106863.tif 000005
【図４】
2020106863.tif 000006
【図５】
2020106863.tif 000007
【図６】
2020106863.tif 000008
【図７】
2020106863.tif 000009
【図８】
2020106863.tif 000010
【図９】
2020106863.tif 000011
【図１０】
2020106863.tif 000012
【図１１】
2020106863.tif 000013
【図１２】
2020106863.tif 000014
【図１３】
2020106863.tif 000015
【図１４】
2020106863.tif 000016
【図１５】
2020106863.tif 000017
【図１６】
2020106863.tif 000018
【図１７】
2020106863.tif 000019
【図１８】
2020106863.tif 000020
【図１９】
2020106863.tif 000021
【図２０】
2020106863.tif 000022
【図２１】
2020106863.tif 000023
【図２２】
2020106863.tif 000024
【図２３】
2020106863.tif 000025
【図２４】
2020106863.tif 000026
【図２５】
2020106863.tif 000027